(57)【要約】【課題】ユーザーの自己情報及びその他のユーザーに関する情報である他者情報に対する操作の利便性を向上させる。【解決手段】情報通信機器ＴAは、情報通信機器ＴA上の自己情報Ｔg及び他者情報Ｔhと、情報通信サーバーＶ上の自己情報ＰAｂ及び他者情報ＰAｃとをネットワークを介して管理する。情報通信機器ＴAは、自己情報及び他者情報の取得先として、情報通信サーバーＶと情報通信機器ＴAのいずれか、あるいは両方を選択できる。情報通信サーバーＶが選択された場合、情報通信機器ＴAと情報通信サーバーＶ間で、自己情報ＰAｂまたは他者情報ＰAｃの取得要求と応答を通信する。情報通信機器ＴAが選択された場合は、情報通信機器ＴAの記憶部から自己情報Ｔgまたは他者情報Ｔhを取得する。【選択図】図４
2011101403.tif 000002
【特許請求の範囲】
【請求項１】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記自己情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の自己情報取得手段が、自己情報の一部または全部の取得先として、前記情報通信サーバー，前記情報通信機器のいずれか、あるいは、その両方を選択するステップと、
前記情報通信サーバーが選択された場合は、前記情報通信機器の自己情報取得手段が、前記情報通信サーバーのユーザー自己情報送信手段に自己情報の一部または全部の送信を要求するステップと、
前記情報通信サーバーのユーザー自己情報送信手段が、要求された情報を要求元の情報通信機器の自己情報取得手段に送信するステップと、
前記情報通信機器が選択された場合は、該情報通信機器の記憶部から要求された自己情報を取得するステップと、
を有することを特徴とする情報共有方法。
【請求項２】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記自己情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の自己情報更新手段が、自己情報の一部または全部の更新先として、情報通信サーバーあるいは該情報通信機器のいずれか、またはその両方を選択するステップと、
前記情報通信機器の自己情報更新手段が、前記情報通信サーバーが選択された場合は、該情報通信サーバーのユーザー自己情報更新手段に自己情報の一部または全部の更新を要求するステップと、
前記情報通信サーバーのユーザー自己情報更新手段が、要求された更新を要求元のユーザーの自己情報に対して行うステップと、
前記情報通信機器が選択された場合は、要求された更新を該情報通信機器の記憶部に保存された自己情報に対して行うステップと、
を有することを特徴とする情報共有方法。
【請求項３】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記自己情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の自己情報取得手段が、要求された自己情報の取得先として、情報通信サーバーを選択し、前記情報通信サーバーのユーザー自己情報送信手段に自己情報の一部または全部の送信を要求するステップと、
前記情報通信サーバーのユーザー自己情報送信手段が、要求された自己情報を要求元の情報通信機器の自己情報取得手段に送信するステップと、
前記情報通信機器の自己情報取得手段が、要求した自己情報を受信するステップと、
前記情報通信機器の自己情報更新手段が、前記受信した自己情報に基づく更新の更新先として、該情報通信機器を選択し、該情報通信機器の記憶部に保存された自己情報を更新するステップと、
を有することを特徴とする情報共有方法。
【請求項４】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記自己情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
情報通信機器の自己情報取得手段が、要求された自己情報の取得先として、該情報通信機器を選択し、該情報通信機器の記憶部から要求された自己情報を取得するステップと、
情報通信機器の自己情報更新手段が、要求された自己情報の更新先として、情報通信サーバーを選択し、前記取得した自己情報を用いて自己情報の更新を要求するステップと、
情報通信サーバーのユーザー自己情報更新手段が、前記要求された更新を要求元のユーザーの自己情報に対して行うステップと、
を有することを特徴とする情報共有方法。
【請求項５】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記他者情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の他者情報取得手段が、他者情報の一部または全部の取得先として、前記情報通信サーバー，前記情報通信機器のいずれか、あるいは、その両方を選択するステップと、
前記情報通信サーバーが選択された場合は、前記情報通信機器の他者情報取得手段が、前記情報通信サーバーのユーザー他者情報送信手段に他者情報の一部または全部の送信を要求するステップと、
前記情報通信サーバーのユーザー他者情報送信手段が、要求された情報を要求元の情報通信機器の他者情報取得手段に送信するステップと、
前記情報通信機器が選択された場合は、該情報通信機器の記憶部から要求された他者情報を取得するステップと、
を有することを特徴とする情報共有方法。
【請求項６】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記他者情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の他者情報更新手段が、他者情報の一部または全部の更新先として、情報通信サーバーあるいは該情報通信機器のいずれか、またはその両方を選択するステップと、
前記情報通信機器の他者情報更新手段が、前記情報通信サーバーが選択された場合は、該情報通信サーバーのユーザー他者情報更新手段に他者情報の一部または全部の更新を要求するステップと、
前記情報通信サーバーのユーザー他者情報更新手段が、要求された更新を要求元のユーザーの他者情報に対して行うステップと、
前記情報通信機器が選択された場合は、要求された更新を該情報通信機器の記憶部に保存された他者情報に対して行うステップと、
を有することを特徴とする情報共有方法。
【請求項７】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記他者情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の他者情報取得手段が、要求された他者情報の取得先として、情報通信サーバーを選択し、前記情報通信サーバーのユーザー他者情報送信手段に他者情報の一部または全部の送信を要求するステップと、
前記情報通信サーバーのユーザー他者情報送信手段が、要求された他者情報を要求元の情報通信機器の他者情報取得手段に送信するステップと、
前記情報通信機器の他者情報取得手段が、要求した他者情報を受信するステップと、
前記情報通信機器の他者情報更新手段が、前記受信した他者情報に基づく更新の更新先として、該情報通信機器を選択し、該情報通信機器の記憶部に保存された他者情報を更新するステップと、
を有することを特徴とする情報共有方法。
【請求項８】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記他者情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の他者情報取得手段が、要求された他者情報の取得先として、該情報通信機器を選択し、該情報通信機器の記憶部から要求された他者情報を取得するステップと、
前記情報通信機器の他者情報更新手段が、要求された他者情報の更新先として、情報通信サーバーを選択し、前記取得した他者情報を用いて他者情報の更新を要求するステップと、
前記情報通信サーバーのユーザー他者情報更新手段が、前記要求された更新を要求元のユーザーの他者情報に対して行うステップと、
を有することを特徴とする情報共有方法。
【請求項９】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記自己情報と他者情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の自己情報更新手段が、自己情報他者送信制御情報の設定を、前記情報通信サーバーのユーザー自己情報更新手段に要求するステップと、
前記情報通信サーバーのユーザー自己情報更新手段が、要求元のユーザーの自己情報に該自己情報他者送信制御情報を設定するステップと、
他の前記情報通信機器の他者自己情報取得手段が、前記ユーザーの自己情報の取得を要求する他者自己情報取得要求を情報通信サーバーの選択的他者自己情報送信手段に送るステップと、
前記情報通信サーバーの選択的他者自己情報送信手段が、要求先のユーザーの自己情報から自己情報他者送信制御情報を取り出し、要求元のユーザーへの送信が許可されているかどうかを判別するステップと、
前記情報通信サーバーの選択的他者自己情報送信手段が、要求された情報のうち、送信が許可されている情報のみを要求先のユーザーの自己情報から取り出し、要求元のユーザーの情報通信機器の他者自己情報取得手段に送信するステップと、
を有することを特徴とする情報共有方法。
【請求項１０】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記自己情報と他者情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の自己情報更新手段が、自己情報他者送信制御情報の設定を、前記情報通信サーバーのユーザー自己情報更新手段に要求するステップと、
前記情報通信サーバーのユーザー自己情報更新手段が、要求元のユーザーの自己情報に該自己情報他者送信制御情報を設定するステップと、
他の前記情報通信機器の他者自己情報取得手段が、前記ユーザーの自己情報の取得を要求する他者自己情報取得要求を情報通信サーバーの選択的他者自己情報送信手段に送るステップと、
前記情報通信サーバーの選択的他者自己情報送信手段が、要求元のユーザーが要求先のユーザーの他者情報に含まれているかどうかを判別するステップと、
前記情報通信サーバーの選択的他者自己情報送信手段が、要求先のユーザーの自己情報から自己情報他者送信制御情報を取り出し、要求元のユーザーへの送信が許可されているかどうかを判別するステップと、
前記情報通信サーバーの選択的他者自己情報送信手段が、前記の両方の判別条件が成立した場合のみ、要求された情報のうち、送信が許可されている情報を要求先のユーザーの自己情報から取り出し、要求元のユーザーの情報通信機器の他者自己情報取得手段に送信するステップと、
を有することを特徴とする情報共有方法。
【請求項１１】
ユーザーによって操作される情報通信機器が、
ユーザー自身に関する情報である自己情報を管理する自己情報管理手段と、
他のユーザーに関する情報である他者情報を管理する他者情報管理手段と、
他のユーザーの自己情報を取得する他者自己情報取得手段と、
他のユーザーから通知される自己情報更新通知を処理する他者自己情報更新通知処理手段と、
前記自己情報と他者情報を保存し管理する記憶部と、
を備え、
さらに、前記自己情報管理手段が、自己情報を取得する自己情報取得手段と、自己情報を更新する自己情報更新手段と、を備え、
前記他者情報管理手段が、他者情報を取得する他者情報取得手段と、他者情報を更新する他者情報更新手段と、を備え、
前記情報通信機器が通信ネットワークを介してアクセスする情報通信サーバーが、
ユーザー識別情報，自己情報，他者情報を管理する個人的情報管理サービス手段、
を備え、
前記個人的情報管理サービス手段が、
ユーザーの自己情報を送信するユーザー自己情報送信手段と、
ユーザーの自己情報を更新するユーザー自己情報更新手段と、
ユーザーの他者情報を送信するユーザー他者情報送信手段と、
ユーザーの他者情報を更新するユーザー他者情報更新手段と、
他のユーザーの自己情報を送信する選択的他者自己情報送信手段と、
情報更新に関する通知を配信する情報更新通知配信手段と、
を備え、
さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、
を備える、
前記情報通信機器と情報通信サーバーによって情報を共有するシステム
に使用する情報共有方法であって、
前記情報通信機器の他者情報更新手段が、他者自己情報受信制御情報の設定を、前記情報通信サーバーのユーザー他者情報更新手段に要求するステップと、
前記情報通信サーバーのユーザー他者情報更新手段が、要求元のユーザーの他者情報に該他者自己情報受信制御情報を設定するステップと、
前記情報通信機器の他者自己情報取得手段が、他者の自己情報の取得を要求する他者自己情報取得要求を前記情報通信サーバーの選択的他者自己情報送信手段に送るステップと、
前記情報通信サーバーの選択的他者自己情報送信手段が、要求元のユーザーが要求先のユーザーの他者情報に含まれているかどうかを判別するステップと、
前記情報通信サーバーの選択的他者自己情報送信手段が、要求元のユーザーの他者情報から他者自己情報受信制御情報を取り出し、要求先のユーザーからの受信が許可されているかどうかを判別するステップと、
前記情報通信サーバーの選択的他者自己情報送信手段が、両方の判別条件が成立した場合のみ、要求された情報のうち受信が許可されている情報を要求先のユーザーの自己情報から取り出し、要求元のユーザーの情報通信機器の他者自己情報取得手段に送信するステップと、
を有することを特徴とする情報共有方法。
【請求項１２】
請求項９または１０に記載の情報共有方法において、
前記情報通信機器の他者情報更新手段が、他者自己情報受信制御情報の設定を、前記情報通信サーバーのユーザー他者情報更新手段に要求するステップと、
前記情報通信サーバーのユーザー他者情報更新手段が、要求元のユーザーの他者情報に該他者自己情報受信制御情報を設定するステップと、
前記情報通信機器の他者自己情報取得手段が、他者の自己情報の取得を要求する他者自己情報取得要求を前記情報通信サーバーの選択的他者自己情報送信手段に送るステップと、
前記情報通信サーバーの選択的他者自己情報送信手段が、要求元のユーザーが要求先のユーザーの他者情報に含まれているかどうかを判別するステップと、
前記情報通信サーバーの選択的他者自己情報送信手段が、要求元のユーザーの他者情報から他者自己情報受信制御情報を取り出し、要求先のユーザーからの受信が許可されているかどうかを判別するステップと、
前記情報通信サーバーの選択的他者自己情報送信手段が、両方の判別条件が成立した場合のみ、要求された情報のうち受信が許可されている情報を要求先のユーザーの自己情報から取り出し、要求元のユーザーの情報通信機器の他者自己情報取得手段に送信するステップと、
を有することを特徴とする情報共有方法。
【請求項１３】
請求項９乃至１２のいずれかに記載の情報共有方法において、
ユーザーの他者情報において、複数の他者をグループ化するグループ情報を設定するステップと、
前記各制御情報において、ユーザーのかわりにグループを指定するステップと、
を有することを特徴とする情報共有方法。
【請求項１４】
請求項１乃至１３のいずれかに記載の情報共有方法を、コンピュータで実行可能なコンピュータプログラムとして記述したことを特徴とする情報共有プログラム。
【発明の詳細な説明】
【技術分野】
【０００１】
本発明は、ネットワークにおけるコミュニケーション情報技術に関するものである。
【背景技術】
【０００２】
携帯電話端末に実装された電話帳機能は、通信相手の電話番号や電子メイル（電子メール）アドレスを管理するツールとして、利用されている。近年では、携帯電話端末の紛失などを起因とする、通信相手登録情報の消失を防ぐ方法（例えば、特許文献１参照）も知られている。前記の方法は、携帯電話端末内に保存された電話帳データのバックアップサービスによって、通信相手登録情報の消失を防いでいる。しかし、前記の方法は、利用者間のデータリンクやコミュニケーションを可能にするものでなく、あくまで利用者個人のデータのバックアップ保存を目的としている。
【０００３】
また、利用者間のコミュニケーションを実現するサービスとして、Ｂｌｏｇ（例えば、非特許文献１参照）やｍｏｂｌｏｇ（モバイル端末を対象としたブログ）、ＳＮＳ（Ｓｏｃｉａｌ  Ｎｅｔｗｏｒｋｉｎｇ  Ｓｅｒｖｉｃｅ；例えば、非特許文献２参照）が知られている。
【０００４】
ｍｏｂｌｏｇは、利用者が日記のような形式で、様々な情報を携帯通信機器からサーバにアップロードし、蓄積して、意図に応じて他の利用者に公開できる。また、他の利用者は、特定の利用者のｍｏｂｌｏｇの購読登録が可能であり、その購読登録を行うと、購読対象であるｍｏｂｌｏｇに関する更新通知を受け取ることができる。
【０００５】
しかし、一般的なｍｏｂｌｏｇでは、アップロードした情報は、公開するか否かの二者択一であり、特定の相手のみに公開するという限定的な公開サービスはサポートされていない。
【０００６】
上述の択一的な公開方法を改善する方法の一つとして、ＳＮＳを利用する方法が知られている。ＳＮＳは、自分と相手の双方合意の下で、相手を自分の、自分を相手の「友達」として登録できる。このように作成した「友達」集合を利用して、ＳＮＳサイトに自らが登録した情報（例えば、日記など）の公開範囲を友達関係（例えば、「友達」，「友達の友達」）に基づいて限定できる。また、コミュニティを作成することによって、特定のコミュニティ内に限定して情報を公開できる。
【０００７】
しかし、携帯通信機器の通信相手登録情報と連動したＳＮＳは、これまでに出現していない。従って、携帯通信機器からＳＮＳを利用する場合でも、新たにゼロから「友達」関係を構築する必要がある。また、ＳＮＳは「友達」関係の成立には相互の合意を必要とする。即ち、相手を「友達」として登録する場合は相手の合意を必要とする方法であるため、一般的な携帯通信機器の所有者が該携帯通信機器の通信相手リストを編集する方法と比べて、自由度が低い。さらに、ＳＮＳでは、通常の「友達」集合をその属性（例えば、「学校の友人」，「会社の同僚」，「取引先」等）に応じて分類する機能を有していない。即ち、自分が発信する情報の公開対象の制御単位が、「友達」あるいは「友達の友達」という単位でしか行えない。
【０００８】
例えば、前記属性に応じて利用者を分類し、情報公開の制御を行う場合には、ＳＮＳは、「コミュニティ」を構築し、そのコミュニティへ利用者に参加してもらうという方法を採っている。この方法では、「友達」集合とは別に「コミュニティ」の構築を必要とするため、作業コストを高くする。また、この方法は、コミュニティへの参加が他の利用者の意思に委ねられるため、携帯通信機器の通信相手登録情報と比べて制御権能が低い。
【０００９】
携帯通信機器を用いた他のコミュニケーション手段としては、電話や電子メイル（もしくは、電子メイルシステム）が挙げられる。電話は、接続要求を即時に相手に伝え、また、一度接続されれば、自分の話した情報を即時に相手に伝えるコミュニケーション手段である。電話のようなコミュニケーション手段は、通信者同士が同期的に動作する必要があるため、時間的な自由度が小さいことも特徴である。
【００１０】
電子メイルは、電話と異なり、時間的な自由度は大きい。自分のアドレス宛に発信された電子メイルは、強制的に該アドレスに応じたメイルボックスに配信される「ｐｕｓｈ」型の通信であるため、情報の配信に関する受信者の選択の自由度を低くしている。また、強制的な配信であるため、受信者に電子メイルが届くこと、並びに、受信者がその電子メイルを読むことに対し、送信者は高い期待を抱くはずである。さらに、その電子メイルに対する返信に対しても、送信者は高い期待を抱くであろう。一方、受信者は、送信者に対する返信に対して高い期待を抱いているだろうことを認識している。即ち、電子メイルは、これらの期待感をユーザーに抱かせるコミュニケーション手段と考えられる。
【先行技術文献】
【特許文献】
【００１１】
【特許文献１】特開２００２−１８５６３１号公報（段落［００１６］〜［００２０］等）。
【非特許文献】
【００１２】
【非特許文献１】株式会社インセプト、“Ｂｌｏｇとは  ［ブログ］  −  意味・解説  ：  ＩＴ用語辞典  ｅ−Ｗｏｒｄｓ”、［ｏｎｌｉｎｅ］、平成１７年５月２７日、株式会社インセプト、［平成１９年１月５日検索］、インターネット＜ＵＲＬ：ｈｔｔｐ：／／ｅ−ｗｏｒｄｓ．ｊｐ／ｗ／Ｂｌｏｇ．ｈｔｍｌ＞。
【非特許文献２】株式会社インセプト、“ＳＮＳとは  ［ソーシャルネットワーキングサービス］  (Ｓｏｃｉａｌ  Ｎｅｔｗｏｒｋｉｎｇ  Ｓｅｒｖｉｃｅ)  −  意味・解説  ：  ＩＴ用語辞典  ｅ−Ｗｏｒｄｓ”、［ｏｎｌｉｎｅ］、平成１８年１０月１３日、株式会社インセプト、［平成１９年１月５日検索］、インターネット＜ＵＲＬ：ｈｔｔｐ：／／ｅ−ｗｏｒｄｓ．ｊｐ／ｗ／ＳＮＳ．ｈｔｍｌ＞。
【発明の概要】
【発明が解決しようとする課題】
【００１３】
一般的なネットワークサービスにおいて、通信機能付携帯情報機器（情報通信機器）の通信相手登録情報のような一過的な情報を管理するサービスは、特定の利用者に関する情報を継続的に蓄積し、発信するサービス（例えば、ｍｏｂｌｏｇ）とは別に提供されている。このような状況下では、自己に関する情報（自己情報）を管理するサービスという点では同じであるにも関わらず、サービス利用者は、各々のサービス毎の契約や情報設定を行う必要があり、サービス利用者の手続きを煩雑にしている。
【００１４】
また、ｍｏｂｌｏｇにおける情報公開制御は、情報公開をする、または、情報公開をしない、の二者択一の制御であって、情報公開先に関する自由度が非常に小さいものであった。
【００１５】
また、情報公開先の自由度を上げることができるＳＮＳにおいて、携帯通信機器（情報通信機器）で該サービスを利用するためには、相手の合意を得ながら、新たにゼロから「友達」関係を構築する必要がある。さらに、通常のＳＮＳでは、「友達」集合をその属性で分類するためには、「コミュニティ」の構築コストに加えて、相手のコミュニティへの参加（同意）を持つ必要があるため、ユーザーにとって負担が大きい。
【００１６】
また、コミュニケーション手段の一つである電話は、通信者同士に同期的な動作を要求するために、時間的自由度を小さくしている。
【００１７】
また、コミュニケーション手段の一つである電子メイルは、その電子メイルの受信者における選択の自由度が低い。さらに、電子メイルは、送信者及び受信者ともに、返信に対する高い期待を抱くという特徴を有するため、自己の情報公開に意味を有し、返信には高い期待を抱かない情報発信もしくは受信を行うコミュニケーションに特化した手段ではない。
【００１８】
本発明は、前記課題に基づいてなされたものであって、ユーザーの自己情報及びその他のユーザーに関する情報である他者情報に対する操作の利便性を向上させる情報共有方法及びその方法を実装した情報共有プログラムを提供することにある。
【課題を解決するための手段】
【００１９】
前記課題の解決を図るために、請求項１記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記自己情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の自己情報取得手段が、自己情報の一部または全部の取得先として、前記情報通信サーバー，前記情報通信機器のいずれか、あるいは、その両方を選択するステップと、前記情報通信サーバーが選択された場合は、前記情報通信機器の自己情報取得手段が、前記情報通信サーバーのユーザー自己情報送信手段に自己情報の一部または全部の送信を要求するステップと、前記情報通信サーバーのユーザー自己情報送信手段が、要求された情報を要求元の情報通信機器の自己情報取得手段に送信するステップと、前記情報通信機器が選択された場合は、該情報通信機器の記憶部から要求された自己情報を取得するステップと、を有することを特徴とする。
【００２０】
請求項２記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記自己情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の自己情報更新手段が、自己情報の一部または全部の更新先として、情報通信サーバーあるいは該情報通信機器のいずれか、またはその両方を選択するステップと、前記情報通信機器の自己情報更新手段が、前記情報通信サーバーが選択された場合は、該情報通信サーバーのユーザー自己情報更新手段に自己情報の一部または全部の更新を要求するステップと、前記情報通信サーバーのユーザー自己情報更新手段が、要求された更新を要求元のユーザーの自己情報に対して行うステップと、前記情報通信機器が選択された場合は、要求された更新を該情報通信機器の記憶部に保存された自己情報に対して行うステップと、を有することを特徴とする。
【００２１】
請求項３記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記自己情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の自己情報取得手段が、要求された自己情報の取得先として、情報通信サーバーを選択し、前記情報通信サーバーのユーザー自己情報送信手段に自己情報の一部または全部の送信を要求するステップと、前記情報通信サーバーのユーザー自己情報送信手段が、要求された自己情報を要求元の情報通信機器の自己情報取得手段に送信するステップと、前記情報通信機器の自己情報取得手段が、要求した自己情報を受信するステップと、前記情報通信機器の自己情報更新手段が、前記受信した自己情報に基づく更新の更新先として、該情報通信機器を選択し、該情報通信機器の記憶部に保存された自己情報を更新するステップと、を有することを特徴とする。
【００２２】
請求項４記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記自己情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、情報通信機器の自己情報取得手段が、要求された自己情報の取得先として、該情報通信機器を選択し、該情報通信機器の記憶部から要求された自己情報を取得するステップと、情報通信機器の自己情報更新手段が、要求された自己情報の更新先として、情報通信サーバーを選択し、前記取得した自己情報を用いて自己情報の更新を要求するステップと、情報通信サーバーのユーザー自己情報更新手段が、前記要求された更新を要求元のユーザーの自己情報に対して行うステップと、を有することを特徴とする。
【００２３】
請求項５記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記他者情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の他者情報取得手段が、他者情報の一部または全部の取得先として、前記情報通信サーバー，前記情報通信機器のいずれか、あるいは、その両方を選択するステップと、前記情報通信サーバーが選択された場合は、前記情報通信機器の他者情報取得手段が、前記情報通信サーバーのユーザー他者情報送信手段に他者情報の一部または全部の送信を要求するステップと、前記情報通信サーバーのユーザー他者情報送信手段が、要求された情報を要求元の情報通信機器の他者情報取得手段に送信するステップと、前記情報通信機器が選択された場合は、該情報通信機器の記憶部から要求された他者情報を取得するステップと、を有することを特徴とする。
【００２４】
請求項６記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記他者情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の他者情報更新手段が、他者情報の一部または全部の更新先として、情報通信サーバーあるいは該情報通信機器のいずれか、またはその両方を選択するステップと、前記情報通信機器の他者情報更新手段が、前記情報通信サーバーが選択された場合は、該情報通信サーバーのユーザー他者情報更新手段に他者情報の一部または全部の更新を要求するステップと、前記情報通信サーバーのユーザー他者情報更新手段が、要求された更新を要求元のユーザーの他者情報に対して行うステップと、前記情報通信機器が選択された場合は、要求された更新を該情報通信機器の記憶部に保存された他者情報に対して行うステップと、を有することを特徴とする。
【００２５】
請求項７記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記他者情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の他者情報取得手段が、要求された他者情報の取得先として、情報通信サーバーを選択し、前記情報通信サーバーのユーザー他者情報送信手段に他者情報の一部または全部の送信を要求するステップと、前記情報通信サーバーのユーザー他者情報送信手段が、要求された他者情報を要求元の情報通信機器の他者情報取得手段に送信するステップと、前記情報通信機器の他者情報取得手段が、要求した他者情報を受信するステップと、前記情報通信機器の他者情報更新手段が、前記受信した他者情報に基づく更新の更新先として、該情報通信機器を選択し、該情報通信機器の記憶部に保存された他者情報を更新するステップと、を有することを特徴とする。
【００２６】
請求項８記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記他者情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の他者情報取得手段が、要求された他者情報の取得先として、該情報通信機器を選択し、該情報通信機器の記憶部から要求された他者情報を取得するステップと、前記情報通信機器の他者情報更新手段が、要求された他者情報の更新先として、情報通信サーバーを選択し、前記取得した他者情報を用いて他者情報の更新を要求するステップと、前記情報通信サーバーのユーザー他者情報更新手段が、前記要求された更新を要求元のユーザーの他者情報に対して行うステップと、を有することを特徴とする。
【００２７】
請求項９記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記自己情報と他者情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の自己情報更新手段が、自己情報他者送信制御情報の設定を、前記情報通信サーバーのユーザー自己情報更新手段に要求するステップと、前記情報通信サーバーのユーザー自己情報更新手段が、要求元のユーザーの自己情報に該自己情報他者送信制御情報を設定するステップと、他の前記情報通信機器の他者自己情報取得手段が、前記ユーザーの自己情報の取得を要求する他者自己情報取得要求を情報通信サーバーの選択的他者自己情報送信手段に送るステップと、前記情報通信サーバーの選択的他者自己情報送信手段が、要求先のユーザーの自己情報から自己情報他者送信制御情報を取り出し、要求元のユーザーへの送信が許可されているかどうかを判別するステップと、前記情報通信サーバーの選択的他者自己情報送信手段が、要求された情報のうち、送信が許可されている情報のみを要求先のユーザーの自己情報から取り出し、要求元のユーザーの情報通信機器の他者自己情報取得手段に送信するステップと、を有することを特徴とする。
【００２８】
請求項１０記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記自己情報と他者情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の自己情報更新手段が、自己情報他者送信制御情報の設定を、前記情報通信サーバーのユーザー自己情報更新手段に要求するステップと、前記情報通信サーバーのユーザー自己情報更新手段が、要求元のユーザーの自己情報に該自己情報他者送信制御情報を設定するステップと、他の前記情報通信機器の他者自己情報取得手段が、前記ユーザーの自己情報の取得を要求する他者自己情報取得要求を情報通信サーバーの選択的他者自己情報送信手段に送るステップと、前記情報通信サーバーの選択的他者自己情報送信手段が、要求元のユーザーが要求先のユーザーの他者情報に含まれているかどうかを判別するステップと、前記情報通信サーバーの選択的他者自己情報送信手段が、要求先のユーザーの自己情報から自己情報他者送信制御情報を取り出し、要求元のユーザーへの送信が許可されているかどうかを判別するステップと、前記情報通信サーバーの選択的他者自己情報送信手段が、前記の両方の判別条件が成立した場合のみ、要求された情報のうち、送信が許可されている情報を要求先のユーザーの自己情報から取り出し、要求元のユーザーの情報通信機器の他者自己情報取得手段に送信するステップと、を有することを特徴とする。
【００２９】
請求項１１記載の発明は、ユーザーによって操作される情報通信機器が、ユーザー自身に関する情報である自己情報を管理する自己情報管理手段と、他のユーザーに関する情報である他者情報を管理する他者情報管理手段と、他のユーザーの自己情報を取得する他者自己情報取得手段と、他のユーザーから通知される自己情報更新通知を処理する他者自己情報更新通知処理手段と、前記自己情報と他者情報を保存し管理する記憶部と、を備え、さらに、前記自己情報管理手段が、自己情報を取得する自己情報取得手段と、自己情報を更新する自己情報更新手段と、を備え、前記他者情報管理手段が、他者情報を取得する他者情報取得手段と、他者情報を更新する他者情報更新手段と、を備え、前記情報通信機器が通信ネットワークを介してアクセスする情報通信サーバーが、ユーザー識別情報，自己情報，他者情報を管理する個人的情報管理サービス手段、を備え、前記個人的情報管理サービス手段が、ユーザーの自己情報を送信するユーザー自己情報送信手段と、ユーザーの自己情報を更新するユーザー自己情報更新手段と、ユーザーの他者情報を送信するユーザー他者情報送信手段と、ユーザーの他者情報を更新するユーザー他者情報更新手段と、他のユーザーの自己情報を送信する選択的他者自己情報送信手段と、情報更新に関する通知を配信する情報更新通知配信手段と、を備え、さらに、前記情報更新通知配信手段が、特定のユーザーに対応した他者情報から更新通知の送信先候補を選択する選択的自己情報更新通知送信要求手段と、選択された送信先候補に対して更新通知を送信する選択的他者自己情報更新通知送信手段と、を備える、前記情報通信機器と情報通信サーバーによって情報を共有するシステムに使用する情報共有方法であって、前記情報通信機器の他者情報更新手段が、他者自己情報受信制御情報の設定を、前記情報通信サーバーのユーザー他者情報更新手段に要求するステップと、前記情報通信サーバーのユーザー他者情報更新手段が、要求元のユーザーの他者情報に該他者自己情報受信制御情報を設定するステップと、前記情報通信機器の他者自己情報取得手段が、他者の自己情報の取得を要求する他者自己情報取得要求を前記情報通信サーバーの選択的他者自己情報送信手段に送るステップと、前記情報通信サーバーの選択的他者自己情報送信手段が、要求元のユーザーが要求先のユーザーの他者情報に含まれているかどうかを判別するステップと、前記情報通信サーバーの選択的他者自己情報送信手段が、要求元のユーザーの他者情報から他者自己情報受信制御情報を取り出し、要求先のユーザーからの受信が許可されているかどうかを判別するステップと、前記情報通信サーバーの選択的他者自己情報送信手段が、両方の判別条件が成立した場合のみ、要求された情報のうち受信が許可されている情報を要求先のユーザーの自己情報から取り出し、要求元のユーザーの情報通信機器の他者自己情報取得手段に送信するステップと、を有することを特徴とする。
【００３０】
請求項１２記載の発明は、請求項９または１０に記載の発明において、前記情報通信機器の他者情報更新手段が、他者自己情報受信制御情報の設定を、前記情報通信サーバーのユーザー他者情報更新手段に要求するステップと、前記情報通信サーバーのユーザー他者情報更新手段が、要求元のユーザーの他者情報に該他者自己情報受信制御情報を設定するステップと、前記情報通信機器の他者自己情報取得手段が、他者の自己情報の取得を要求する他者自己情報取得要求を前記情報通信サーバーの選択的他者自己情報送信手段に送るステップと、前記情報通信サーバーの選択的他者自己情報送信手段が、要求元のユーザーが要求先のユーザーの他者情報に含まれているかどうかを判別するステップと、前記情報通信サーバーの選択的他者自己情報送信手段が、要求元のユーザーの他者情報から他者自己情報受信制御情報を取り出し、要求先のユーザーからの受信が許可されているかどうかを判別するステップと、前記情報通信サーバーの選択的他者自己情報送信手段が、両方の判別条件が成立した場合のみ、要求された情報のうち受信が許可されている情報を要求先のユーザーの自己情報から取り出し、要求元のユーザーの情報通信機器の他者自己情報取得手段に送信するステップと、を有することを特徴とする。
【００３１】
請求項１３記載の発明は、請求項９乃至１２のいずれかに記載の発明において、ユーザーの他者情報において、複数の他者をグループ化するグループ情報を設定するステップと、前記各制御情報において、ユーザーのかわりにグループを指定するステップと、を有することを特徴とする。
【００３２】
請求項１４記載の発明は、情報共有プログラムであって、請求項１乃至１３のいずれかに記載の情報共有方法を、コンピュータで実行可能なコンピュータプログラムとして記述したことを特徴とする。
【００３３】
前記請求項１，２，３，４記載の発明は、情報通信機器で自己情報を管理できる。
【００３４】
前記請求項５，６，７，８記載の発明は、情報通信機器で他者情報を管理できる。
【００３５】
前記請求項９，１０記載の発明は、自己情報他者送信制御情報に基づいて自己情報の送信を制御できる。
【００３６】
前記請求項１１，１２記載の発明は、他者自己情報受信制御情報に基づいて、自己情報の送信を制御できる。
【００３７】
前記請求項１３記載の発明は、グループ単位で、各制御を行うことができる。
【００３８】
前記請求項１４記載の発明は、請求項１乃至１３のいずれかに記載の情報共有方法をコンピュータプログラムとして記載できる。
【発明の効果】
【００３９】
以上示したように請求項１，２，３，４の発明によれば、情報通信機器で自己情報を管理するため、通信を行うことなく自己情報を利用できる。
【００４０】
請求項５，６，７，８の発明によれば、情報通信機器で他者情報を管理するため、通信を行うことなく他者情報を利用できる。
【００４１】
請求項９，１０の発明によれば、自己情報他者送信制御情報に基づいて、自己情報の送信を制御できるため、より利便性が向上する。
【００４２】
請求項１１，１２の発明によれば、他者自己情報受信制御情報に基づいて、自己情報の送信を制御できるため、より利便性が向上する。
【００４３】
請求項１３記載の発明は、グループ単位で、各制御を行うことができるため、利便性が向上する。
【００４４】
請求項１４記載の発明は、情報共有方法を実装したコンピュータプログラムを提供できる。
【００４５】
これらを以ってコミュニケーション情報技術分野に貢献できる。
【図面の簡単な説明】
【００４６】
【図１】第１実施形態における情報共有システムのシステム構成図。
【図２】第１実施形態における各装置の動作シーケンスの例１を示す図。
【図３】第１実施形態における各装置の動作シーケンスの例２を示す図。
【図４】第２実施形態における情報共有システムのシステム構成図。
【図５】第２実施形態における各装置の動作シーケンスの例１を示す図。
【図６】第２実施形態における各装置の動作シーケンスの例２を示す図。
【図７】第２実施形態における各装置の動作シーケンスの例３を示す図。
【図８】第２実施形態における各装置の動作シーケンスの例４を示す図。
【図９】第２実施形態における各装置の動作シーケンスの例５を示す図。
【図１０】第２実施形態における各装置の動作シーケンスの例６を示す図。
【図１１】第２実施形態における各装置の動作シーケンスの例７を示す図。
【図１２】第２実施形態における各装置の動作シーケンスの例８を示す図。
【図１３】第３実施形態における情報共有システムのシステム構成図。
【図１４】第３実施形態における各装置の動作シーケンスの例１を示す図。
【図１５】第３実施形態における各装置の動作シーケンスの例２を示す図。
【図１６】第３実施形態における各装置の動作シーケンスの例３を示す図。
【図１７】第３実施形態における各装置の動作シーケンスの例４を示す図。
【図１８】第４実施形態における情報共有システムのシステム構成図。
【図１９】第４実施形態における各装置の動作シーケンスの例１を示す図。
【図２０】第４実施形態における各装置の動作シーケンスの例２を示す図。
【図２１】第４実施形態における各装置の動作シーケンスの例３を示す図。
【図２２】第４実施形態における各装置の動作シーケンスの例４を示す図。
【図２３】第４実施形態における各装置の動作シーケンスの例５を示す図。
【図２４】第４実施形態における各装置の動作シーケンスの例６を示す図。
【図２５】第４実施形態における各装置の動作シーケンスの例７を示す図。
【図２６】第４実施形態における各装置の動作シーケンスの例８を示す図。
【図２７】第４実施形態における各装置の動作シーケンスの例９を示す図。
【図２８】第５実施形態における情報共有システムのシステム構成図。
【図２９】第５実施形態における各装置の動作シーケンスの例１を示す図。
【図３０】第５実施形態における各装置の動作シーケンスの例２を示す図。
【図３１】第５実施形態における各装置の動作シーケンスの例３を示す図。
【図３２】第５実施形態における各装置の動作シーケンスの例４を示す図。
【図３３】第６実施形態における情報共有システムの構成図。
【図３４】第６実施形態におけるデータ構成図。
【発明を実施するための形態】
【００４７】
以下、本発明の第１乃至第６実施形態における図面等に基づいて詳細に説明する。
【００４８】
［第１実施形態］
第１実施形態における情報共有システムのシステム構成を図１に基づいて説明する。図１では、ユーザーＡの情報通信機器（例えば、携帯電話，一般情報通信機器）ＴA（もしくはＴB）、が、通信ネットワーク５００を介して、情報通信サーバーＶにアクセスする。
【００４９】
図１中の携帯電話ＴAは、ユーザーインタフェースＴａ、ユーザー被認証情報ＮAを使って認証処理を行うユーザー被認証手段Ｔｂ、ユーザー自身の情報を管理する自己情報管理手段Ｔｃ、他のユーザーに関する情報を管理する他者情報管理手段Ｔｄ、他のユーザーの自己情報を取得する他者自己情報取得手段Ｔｅ、他のユーザーから通知される自己情報更新通知を処理する他者自己情報更新通知処理手段Ｔｆを備える。なお、ユーザー被認証情報ＮAは、携帯電話に予め備えられた記憶部（例えば、メモリやハードディスク装置）の所定の領域に記憶され管理される。ユーザー被認証情報は、例えば、携帯電話のＳＩＭ（Ｓｕｂｓｃｒｉｂｅｒ  Ｉｄｅｎｔｉｔｙ  Ｍｏｄｕｌｅ）カード内に格納されたＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）でも良い。
【００５０】
前記自己情報管理手段Ｔｃは、自己情報を取得する自己情報取得手段Ｔｃ１、自己情報を更新する自己情報更新手段Ｔｃ２を備える。
【００５１】
前記他者情報管理手段Ｔｄは、他者情報を取得する他者情報取得手段Ｔｄ１、他者情報を更新する他者情報更新手段Ｔｄ２を備える。
【００５２】
図１中の情報通信サーバーＶは、ユーザー認証情報Ｖｃを使ってユーザー認証処理を行うユーザー認証手段Ｖｂ、総合電話帳Ｖｄを管理する個人的情報管理サービス手段Ｖａを備える。
【００５３】
前記個人的情報管理サービス手段Ｖａは、ユーザーの自己情報を送信するユーザー自己情報送信手段Ｖａ１、ユーザーの自己情報を更新するユーザー自己情報更新手段Ｖａ２、ユーザーの他者情報を更新するユーザー他者情報更新手段Ｖａ３、ユーザーの他者情報を送信するユーザー他者情報送信手段Ｖａ４、選択されたユーザーの自己情報を送信する選択的他者自己情報送信手段Ｖａ５、情報更新に関する通知を配信する情報更新通知配信手段Ｖａ６を備える。
【００５４】
前記情報更新通知配信手段Ｖａ６は、総合電話帳Ｖｄ上の特定のユーザーに対応した他者情報から更新通知（更新情報）の送信先候補を選択する選択的自己情報更新通知送信要求手段Ｖａ６１、選択された送信先候補に対して更新通知を送信する選択的他者自己情報更新通知送信手段Ｖａ６２を備える。
【００５５】
総合電話帳Ｖｄは、各ユーザーに応じたユーザー情報を有し、例えば、図１中のユーザーＡのユーザー情報ＰA、ユーザーＢのユーザー情報ＰBを有する。また、ユーザー情報は、ユーザーを識別するユーザー識別情報，ユーザー自身に関する情報である自己情報，他のユーザーに関する情報である他者情報を含む。例えば、ユーザー情報ＰAは、ユーザー識別情報ＰAａ，自己情報ＰAｂ，他者情報ＰAｃを含む。前記ユーザー識別子は、例えば、ＩＭＳＩ，電話番号，顧客管理データベースで用いている顧客ＩＤなどが想定でき、同じ対象には必ず同じ識別子が使われるということが保障さえされていれば、どんな情報でも良い。ユーザー識別情報（あるいは、ユーザー識別子ともいう），自己情報，他者情報（もしくは他者情報群）のセットで保存され、管理される。
【００５６】
また、前記自己情報は、例えば、氏名、ｍｏｂｌｏｇ（モブログ）記事（もしくは、ｍｏｂｌｏｇ記事への参照情報（ＵＲＬ（Ｕｎｉｆｏｒｍ  Ｒｅｓｏｕｒｃｅ  Ｌｏｃａｔｏｒ）））などの情報を含む。前記他者情報は、例えば、他者のユーザー識別子（例えば、ユーザーＢのユーザー識別子），表示名，氏名，電話番号，ｍｏｂｌｏｇ（モブログ）記事（もしくは、ｍｏｂｌｏｇ記事への他者自己情報参照）などの情報を含む。
【００５７】
前記総合電話帳Ｖｄ及びユーザー認証情報Ｖｃは、情報通信サーバーＶに予め備えられた記憶部（例えば、メモリやハードディスク装置）の所定の領域に記憶され管理される。
【００５８】
なお、第１乃至第６実施形態において、ユーザーインターフェース過程は適当に省略されることがある。「ユーザーＸの自己情報」とは、ユーザーＸのユーザー識別子に対応する自己情報を意味する。「ユーザーＸの他者情報」とは、ユーザーＸのユーザー識別子に対応する他者情報あるいは他者情報集合を意味する。「ユーザーＸの他者情報にユーザーＹが含まれている」とは、ユーザーＸのユーザー識別子に対応する他者情報集合に、ユーザーＹのユーザー識別子を含む他者情報が存在することを意味する。
【００５９】
また、ユーザーは情報通信機器として携帯電話を使うものとする。ユーザーが他者情報もしくは自己情報にアクセスするユーザーインターフェイスは、電話帳（もしくはアドレス帳）を模したものであって良い。ユーザーは情報通信サーバーに既に自己情報、他者情報を保存済みとする。情報通信サーバーにアクセスするユーザーは、既に情報通信サーバーとの間で認証済みとする。
【００６０】
また、第１乃至第６実施形態において、情報通信サーバーと情報通信機器間の伝送メッセージには、送信元を示す識別子（例えば、送信元のユーザー識別子，セッション情報，チャレンジに対するレスポンス）が含まれるものとする。
【００６１】
第１実施形態における各装置の動作シーケンスの例１を図２に基づいて以下に説明する。なお、以下の動作シーケンスは、ユーザーが使っている携帯電話において、ユーザー自身が記入し、保存している他者についての情報（氏名，電話番号，メイルアドレスなど）を情報通信サーバーに置いておき、それを必要に応じて取得することを想定している。
【００６２】
まず、ユーザーＡは、図２中の携帯電話ＴAの他者情報取得手段Ｔｄ１を用いて、他者情報の一覧を要求する他者情報取得要求を情報通信サーバーＶに送る（Ｍ０１０１）。
【００６３】
なお、図２において、前記要求する他者情報の一覧は、他者情報に記載されているユーザーごとの{ユーザー識別子，表示名}という情報の組の集合で構成されるものとする。
【００６４】
要求を受けた情報通信サーバーＶのユーザー他者情報送信手段が、総合電話帳Ｖｄ上のユーザーＡ（ユーザー情報ＰA）の他者情報ＰAｃから、要求された他者情報の一覧を取り出し（Ｍ０１０２）ユーザーＡの携帯電話ＴAに送信する（Ｍ０１０１）。
【００６５】
次に、ユーザーＡは、携帯電話ＴAの他者自己情報取得手段Ｔｃを通じて、表示名「ユーザーＢ」を有するユーザーＢの自己情報のうち、{氏名，モブログ記事，メイルアドレス１，電話番号１，住所１}の取得を要求する他者自己情報取得要求を情報通信サーバーＶに送る（Ｍ０１０３）。
【００６６】
要求を受けた情報通信サーバーＶの選択的他者自己情報送信手段Ｖａ５は、まず、要求先のユーザーＢ（ユーザー情報ＰB）の他者情報ＰBｃを総合電話帳Ｖｄから取り出し（Ｍ０１０４）、そこに要求元のユーザーＡが含まれているかどうかを判別する（Ｍ０１０５）。要求元のユーザーＡが含まれている場合は、要求された{氏名，モブログ記事，メイルアドレス１，電話番号１，住所１}を総合電話帳Ｖｄ上のユーザーＢ（ユーザー情報ＰB）の自己情報ＰBｂから取り出し（Ｍ０１０６）、これを要求元であるユーザーＡの携帯電話に送信する（Ｍ０１０７）。
【００６７】
第１実施形態における各装置の動作シーケンスの例２を図３に基づいて以下に説明する。なお、以下の動作シーケンスは、ユーザーが新しいモブログ記事を作成した時に、それを情報通信サーバーにアップロードすると、情報通信サーバーはユーザーの携帯電話に登録している知人全員に対して更新通知を送信しようとするが、送信する前に、知人全員の電話帳に当該ユーザーが登録されているか否かを確認して、登録されていれば更新通知を登録されている知人へと送信することを想定している。
【００６８】
まず、ユーザーＡは、携帯電話ＴAの自己情報更新手段Ｔｃ２を用いて、自己情報の更新を要求する自己情報更新要求を情報通信サーバーに送る（Ｍ０２０１）。なお、図３では、ユーザーが作成した{モブログ記事{文章，画像，時刻}}という情報の組で構成される更新情報を自己情報に追加するものとする。
【００６９】
要求を受けた情報通信サーバーＶは、ユーザー自己情報更新手段Ｖａ２において、総合電話帳Ｖｄ上のユーザーＡ（ユーザー情報ＰA）の自己情報ＰAｂを更新情報に基づいて更新する（Ｍ０２０２）。
【００７０】
次に、情報通信サーバーＶの選択的自己情報更新通知送信要求手段Ｖａ６１において、総合電話帳Ｖｄ上のユーザーＡ（ユーザー情報ＰA）の他者情報ＰAｃから、更新情報の送信先候補を示す、ユーザーＡの他者情報内のユーザー識別子情報群を取り出す（Ｍ０２０３）。
【００７１】
次に、情報通信サーバーＶの選択的他者自己情報更新通知送信手段Ｖａ６２において、ユーザーＡ（ユーザー情報ＰA）の他者情報ＰAｃ内のユーザー識別子情報群に含まれる各ユーザー{Ｂ，Ｃ，Ｄ，．．．}の他者情報を総合電話帳Ｖｄから取り出し（Ｍ０２０４）、そこに送信元のユーザーＡが含まれているかどうかを判別する（Ｍ０２０５）。送信元のユーザーＡが含まれている場合は、そのユーザーを送信先として情報更新通知を送信する（Ｍ０２０６，Ｍ０２０７）。情報更新通知は、{送信元ユーザー識別情報、更新項目情報}という組で構成される。なお、図３中では、更新項目情報は、{モブログ記事{文章}}で構成されるものとする。
【００７２】
そして、送信を受けた送信先ユーザーは、携帯電話ＴBもしくはＴCの他者自己情報更新通知処理手段Ｔｆにおいて、情報更新通知を受け取り、その情報更新を表示する。例えば、送信先ユーザーが電話帳を開いた際に、更新の存在を知らせるため、ユーザーインターフェイスに「ＮＥＷ！」と表示する。
【００７３】
［第２実施形態］
第２実施形態における情報共有システムのシステム構成を図４に基づいて説明する。図４のシステム構成は、図１中のシステム構成における情報通信機器（携帯電話）ＴAに自己情報Ｔｇもしくは他者情報Ｔｈ、自己情報Ｔｇ及び他者情報Ｔｈを備えたものである。
【００７４】
前記自己情報Ｔｇは、例えば、氏名、ｍｏｂｌｏｇ（モブログ）記事などの情報を含む。前記他者情報Ｔｈは、例えば、他者のユーザー識別子（例えば、ユーザーＢのユーザー識別子），表示名，氏名，電話番号などの情報を含む。
【００７５】
なお、自己情報Ｔｇ及び他者情報Ｔｈは、携帯電話ＴAに予め備えられた記憶部（例えば、メモリやハードディスク装置）の所定の領域に記憶され管理される。
【００７６】
第２実施形態における各装置の動作シーケンスの例１を図５に基づいて以下に説明する。なお、図５中では、既に自己情報の全部もしくは自己情報の一部が機器内に保存されているものとする。
【００７７】
まず、ユーザーＡは、携帯電話ＴAの自己情報取得手段Ｔｃ１を用いて、自己情報の一部である{電話番号３、メイルアドレス３}を要求する（Ｍ０３０１）。
【００７８】
この時、自己情報取得手段Ｔｃ１内で、要求先の選択が行われる。選択は、予め設定した情報に基づいて行われてもよいし、その場でユーザーが指示して行ってもよい。
【００７９】
次に、情報通信サーバーＶが要求先として選択された場合は、自己情報取得要求を情報通信サーバーＶに送る（Ｍ０３０１）。
【００８０】
次に、要求を受けた情報通信サーバーＶは、ユーザー自己情報送信手段Ｖａ１において、総合電話帳Ｖｄ上のユーザーＡ（ユーザー情報ＰA）の自己情報ＰAｂから、要求された{電話番号３、メイルアドレス３}を取り出し（Ｍ０３０２）、これを要求元であるユーザーＡの携帯電話ＴAに送信する（Ｍ０３０３）。
【００８１】
そして、携帯電話ＴA内が要求先として選択された場合は、携帯電話ＴA内の自己情報Ｔｇから、要求された{電話番号３、メイルアドレス３}を取り出す（Ｍ０３０４）。
【００８２】
なお、上記の自己情報取得の要求先は、情報通信サーバー単独、携帯電話機器内単独、あるいは両方のいずれであってもよい。
【００８３】
第２実施形態における各装置の動作シーケンスの例２を図６に基づいて以下に説明する。なお、図６では、既にユーザーＡの自己情報の全部もしくは自己情報の一部が携帯電話ＴA内に保存されているものとする。
【００８４】
まず、ユーザーＡは、携帯電話ＴAの自己情報取得手段Ｔｃ１を用いて、自己情報の更新を要求する。なお、図６中では、ユーザーが作成した{モブログ記事、{文章、画像、時刻}}という情報の組で構成される更新情報を自己情報に追加するものとする。
【００８５】
この時、自己情報更新手段Ｔｃ２内で、要求先の選択が行われる。選択は、予め設定した情報に基づいて行われてもよいし、その場でユーザーが指示して行ってもよい。
【００８６】
情報通信サーバーＶが要求先として選択された場合は、自己情報更新要求を情報通信サーバーＶに送る（Ｍ０４０１）。
【００８７】
要求を受けた情報通信サーバーＶは、ユーザー自己情報更新手段Ｖａ２において、総合電話帳Ｖｄ上のユーザーＡ（ユーザー情報ＰA）の自己情報ＰAｂを更新情報に従って更新する（Ｍ０４０２）。なお、更新時に、自己情報更新通知シーケンス（たとえば、図３のシーケンス）が動作することがあるが、説明を省略する
携帯電話ＴA内が要求先として選択された場合は、携帯電話ＴA内の自己情報Ｔｇを、更新情報に従って更新する（Ｍ０４０３）。
【００８８】
第２実施形態における各装置の動作シーケンスの例３を図７に基づいて以下に説明する。
【００８９】
まず、ユーザーＡは、携帯電話ＴAの自己情報取得手段Ｔｃ１において、要求先として情報通信サーバーを選択し、自己情報の全てを要求する自己情報取得要求を情報通信サーバーＶに送る（Ｍ０５０１）。
【００９０】
次に、要求を受けた情報通信サーバーＶは、ユーザー自己情報送信手段Ｖａ１において、総合電話帳Ｖｄ上のユーザーＡ（ユーザー情報ＰA）の自己情報ＰAｂを取り出し（Ｍ０５０２）、これを要求元であるユーザーＡの携帯電話ＴAに送信する（Ｍ０５０３）。
【００９１】
そして、要求した自己情報を受け取ったユーザーＡの携帯電話ＴAは、自己情報更新手段Ｔｃ２において、要求先として携帯電話ＴA内を選択して、携帯電話ＴA内の自己情報Ｔｇに、受け取った自己情報を格納する（Ｍ０５０４）。
【００９２】
第２実施形態における各装置の動作シーケンスの例４を図８に基づいて以下に説明する。
【００９３】
まず、ユーザーＡは、携帯電話ＴAの自己情報取得手段Ｔｃ１において、取得先として携帯電話ＴAを選択し、携帯電話ＴA内の自己情報ＴｇからユーザーＡの自己情報を取得し（Ｍ０６０１）、携帯電話ＴAの自己情報更新手段Ｔｃ２において、ユーザーＡの自己情報を含む自己情報更新要求を情報通信サーバーＶに送信する（Ｍ０６０２）。
【００９４】
そして、自己情報更新要求を受け取った情報通信サーバーＶは、ユーザー自己情報更新手段Ｖａ２において、自己情報更新要求に含まれたユーザーＡの自己情報を、総合電話帳Ｖｄ上のユーザーＡ（ユーザー情報ＰA）の自己情報ＰAｂへ格納する（Ｍ０６０３）。
【００９５】
なお、以上のシーケンスは、図７における複製元の自己情報をサーバーのものから携帯電話のものにし、複製先の自己情報を携帯電話のものからサーバーのものに置き換えたものと解釈して良い。
【００９６】
第２実施形態における各装置の動作シーケンスの例５を図９に基づいて以下に説明する。
【００９７】
この例では、既に他者情報の全部もしくは他者情報の一部が機器内に保存されているものとする。
【００９８】
ユーザーＡは、携帯電話ＴAの他者情報取得手段Ｔｄ１を用いて、他者情報の一部である{電話番号４、メイルアドレス４}を要求する（Ｍ０７０１）。
【００９９】
この時、他者情報取得手段Ｔｄ１内で、要求先の選択が行われる。選択は、予め設定した情報に基づいて行われてもよいし、その場でユーザーが指示して行ってもよい。
【０１００】
情報通信サーバーＶが要求先として選択された場合は、他者情報取得要求を情報通信サーバーＶに送る（Ｍ０７０１）。
【０１０１】
要求を受けた情報通信サーバーＶは、ユーザー他者情報送信手段Ｖａ４において、総合電話帳Ｖｄ上のユーザーＡ（ユーザー情報ＰA）の他者情報ＰAｃから、要求された{電話番号４、メイルアドレス４}を取り出し（Ｍ０７０２）、これを要求元であるユーザーＡの携帯電話ＴAに送信する（Ｍ０７０３）。
【０１０２】
携帯電話ＴA内が要求先として選択された場合は、携帯電話ＴA内の他者情報Ｔｇから、要求された{電話番号４、メイルアドレス４}を取り出す（Ｍ０７０４）。
【０１０３】
なお、上記の他者情報取得の要求先は、情報通信サーバー単独、携帯電話機器内単独、あるいは両方のいずれであってもよい。
【０１０４】
また、上述のシーケンスは、図５において自己情報を他者情報に置き換えて動作させたシーケンスになる。
【０１０５】
第２実施形態における各装置の動作シーケンスの例６を図１０に基づいて以下に説明する。なお、図１０では、既にユーザーＡの他者情報の全部もしくは他者情報の一部が携帯電話ＴA内に保存されているものとする。
【０１０６】
まず、ユーザーＡは、携帯電話ＴAの他者情報更新手段Ｔｄ２を用いて、他者情報の更新を要求する。なお、図１０中では、ユーザーＡが作成した{ユーザー識別子，表示名}という情報の組で構成される更新情報を他者情報に追加するものとする。
【０１０７】
この時、他者情報更新手段Ｔｄ２内で、要求先の選択が行われる。選択は、予め設定した情報に基づいて行われてもよいし、その場でユーザーが指示して行ってもよい。
【０１０８】
情報通信サーバーＶが要求先として選択された場合は、他者情報更新要求を情報通信サーバーＶに送る（Ｍ０８０１）。
【０１０９】
要求を受けた情報通信サーバーＶは、ユーザー他者情報更新手段Ｖａ３において、総合電話帳Ｖｄ上のユーザーＡ（ユーザー情報ＰA）の他者情報ＰAｃを更新情報に従って更新する（Ｍ０８０２）。なお、更新時に、他者情報更新通知シーケンス（たとえば、図３のシーケンス）が動作することがあるが、説明を省略する。
【０１１０】
携帯電話ＴA内が要求先として選択された場合は、携帯電話ＴA内の他者情報Ｔｈを、更新情報に従って更新する（Ｍ０８０３）。
【０１１１】
なお、上述のシーケンスは、図６において自己情報を他者情報に置き換えて動作させたシーケンスになる。
【０１１２】
第２実施形態における各装置の動作シーケンスの例７を図１１に基づいて以下に説明する。
【０１１３】
まず、ユーザーＡは、携帯電話ＴAの他者情報取得手段Ｔｄ１において、要求先として情報通信サーバーＶを選択し、他者情報の全てを要求する他者情報取得要求を情報通信サーバーＶに送る（Ｍ０９０１）。
【０１１４】
次に、要求を受けた情報通信サーバーＶは、ユーザー他者情報送信手段Ｖａ４において、総合電話帳Ｖｄ上のユーザーＡ（ユーザー情報ＰA）の他者情報ＰAｃを取り出し（Ｍ０９０２）、これを要求元であるユーザーＡの携帯電話ＴAに送信する（Ｍ０９０３）。
【０１１５】
そして、要求した他者情報を受け取ったユーザーＡの携帯電話ＴAは、他者情報更新手段Ｔｄ２において、要求先として携帯電話ＴA内を選択して、携帯電話ＴA内の他者情報Ｔｈに、受け取った他者情報を格納する（Ｍ０９０４）。
【０１１６】
なお、上述のシーケンスは、図７において自己情報を他者情報に置き換えて動作させたシーケンスになる。
【０１１７】
第２実施形態における各装置の動作シーケンスの例８を図１２に基づいて以下に説明する。
【０１１８】
まず、ユーザーＡは、携帯電話ＴAの他者情報取得手段Ｔｄ１において、取得先として携帯電話ＴAを選択し、携帯電話ＴA内の他者情報ＴｈからユーザーＡの他者情報を取得し（Ｍ１００１）、携帯電話ＴAの他者情報更新手段Ｔｃ２において、ユーザーＡの他者情報を含む他者情報更新要求を情報通信サーバーＶに送信する（Ｍ１００２）。
【０１１９】
そして、他者情報更新要求を受け取った情報通信サーバーＶは、ユーザー他者情報更新手段Ｖａ３において、他者情報更新要求に含まれたユーザーＡの他者情報を、総合電話帳Ｖｄ上のユーザーＡ（ユーザー情報ＰA）の他者情報ＰAｃへ格納する（Ｍ１００３）。
【０１２０】
なお、上述のシーケンスは、図８の説明文において自己情報を他者情報に置き換えて動作させたシーケンスになる。
【０１２１】
［第３実施形態］
第３実施形態における情報共有システムのシステム構成を図１３に基づいて説明する。図１３のシステム構成は、図４中のシステム構成における情報通信機器（携帯電話）ＴAに自己情報同期手段Ｔｃ３もしくは他者情報同期手段Ｔｄ３、自己情報同期手段Ｔｃ３及び他者情報同期手段Ｔｄ３を備えたものである。さらに、前記手段Ｔｃ３、手段Ｔｄ３の各々に合わせて、情報通信サーバーＶ内にユーザー自己情報同期手段Ｖａ７，ユーザー他者情報同期手段Ｖａ８を備える。
【０１２２】
自己情報管理手段Ｔｃに備えられる前記自己情報同期手段Ｔｃ３とユーザー自己情報同期手段Ｖａ７は、情報通信機器内の自己情報と情報通信サーバーＶ内の自己情報の同期を行う手段である。
【０１２３】
他者情報管理手段Ｔｄに備えられる前記他者情報同期手段Ｔｄ３とユーザー他者情報同期手段Ｖａ８は、情報通信機器内の他者情報と情報通信サーバーＶ内の他者情報の同期を行う手段である。
【０１２４】
第３実施形態における各装置の動作シーケンスの例１を図１４に基づいて以下に説明する。なお、図１４は、情報通信サーバー内の情報と、携帯電話内の情報の同一性を保つために、情報の同期を行う動作シーケンスの一例である。情報の同期については、ＳｙｎｃＭＬなど、既存手法が存在するため、これを用いればよい。
【０１２５】
まず、ユーザーＡは、携帯電話ＴAの自己情報同期手段Ｔｃ３において、携帯電話機ＴA内の自己情報Ｔｇと情報通信サーバーの自己情報ＰAｂとの同期を要求する同期要求を情報通信サーバーＶに送る（Ｍ１１０１）。
【０１２６】
次に、要求を受けた情報通信サーバーＶは、ユーザー自己情報同期手段Ｖａ７において、要求元の自己情報状態情報送信要求（Ｍ１１０２）を携帯電話に送る。
【０１２７】
次に、要求を受けた携帯電話ＴAは、自己情報同期手段Ｔｃ３において、携帯電話機ＴA内にあるユーザーＡの自己情報Ｔｇから（Ｍ１１０３）自己情報状態情報（機器内）を作成し、情報通信サーバーＶへ送信する（Ｍ１１０４）。なお、自己情報状態情報としては、例えば、{前回の同期以後に更新された情報、その更新日時}の集合が想定される。図１４中では、前回の同期以後、「メイルアドレス３」が携帯電話ＴA内で更新されたものとし、自己情報状態情報として、{メイルアドレス{メイルアドレス３、２００７年０３月０６日}}が作成及び送信されるものとする。
【０１２８】
次に、機器ＴA内の自己情報状態情報を受け取った情報通信サーバーＶは、ユーザー自己情報同期手段Ｖａ７において、情報通信サーバーＶにあるユーザーＡ（ユーザー情報ＰA）の自己情報ＰAｂから（Ｍ１１０５）自己情報状態情報（サーバー）を作成する。図１４中では、前回の同期以後、「モブログ記事ｎ」がサーバー内で更新されたものとし、自己情報状態情報として、{モブログ記事{モブログ記事ｎ{文章、画像}、２００７年０３月０５日}}が作成されるものとする。
【０１２９】
次に、ユーザー自己情報同期手段Ｖａ７は、自己情報状態情報（機器内）と自己情報状態情報（サーバー）を比較して同期更新情報を生成する（Ｍ１１０６）。図１４中では、情報通信機器向けの同期更新情報として、{モブログ記事{モブログ記事ｎ{文章、画像}、２００７年０３月０５日}}が、サーバー向けの同期情報として、{メイルアドレス{メイルアドレス３、２００７年０３月０６日}}が生成される。
【０１３０】
次に、情報通信サーバーＶは、ユーザー自己情報同期手段Ｖａ７において、自己情報の同期更新を要求する自己情報同期更新要求を携帯電話ＴAに送信する（Ｍ１１０７）。
【０１３１】
次に、要求を受け取った携帯電話ＴAは、自己情報同期手段Ｔｃ３において、同期更新情報に従って、機器内の自己情報Ｔｇを更新する（Ｍ１１０８）。
【０１３２】
そして、情報通信サーバーＶは、ユーザー自己情報同期手段Ｖａ７において、同期更新情報に従ってユーザーＡ（ユーザー情報ＰA）の自己情報ＰAｂを更新する（Ｍ１１０９）。
【０１３３】
なお、上記の同期更新が行われるのは、情報通信サーバー内のみ、携帯電話機器のみ、あるいは両方、のいずれの場合もあり得る。
【０１３４】
第３実施形態における各装置の動作シーケンスの例２を図１５に基づいて以下に説明する。
【０１３５】
まず、ユーザーＡは、携帯電話ＴAの自己情報同期手段Ｔｃ３において、携帯電話機内の自己情報Ｔｇと情報通信サーバーＶの自己情報ＰAｂとの同期を行うために必要な自己情報状態情報を要求する自己情報状態情報取得要求を情報通信サーバーＶに送る（Ｍ１２０１）。
【０１３６】
次に、要求を受けた情報通信サーバーＶは、ユーザー自己情報同期手段Ｖａ７において、ユーザーＡ（ユーザー情報ＰA）の自己情報ＰAｂから自己情報状態情報（サーバー）を作成し、それを携帯電話へと送信する（Ｍ１２０３）。
【０１３７】
次に、サーバー内の自己情報状態情報を受け取った携帯電話ＴAは、自己情報同期手段Ｔｃ３において、携帯電話ＴA内の自己情報Ｔｇから（Ｍ１２０４）自己情報状態情報（機器内）を作成する。
【０１３８】
次に、自己情報同期手段Ｔｃ３は、自己情報状態情報（機器内）と自己情報状態情報（サーバー）を比較して同期更新情報を生成する（Ｍ１２０５）。
【０１３９】
次に、携帯電話ＴAは、自己情報同期手段Ｔｃ３において、自己情報の同期更新を要求する自己情報同期更新要求を情報通信サーバーＶに送信する（Ｍ１２０６）。
【０１４０】
次に、要求を受けた情報通信サーバーＶは、ユーザー自己情報同期手段Ｖａ７において、ユーザーＡ（ユーザー情報ＰA）の自己情報ＰAｂを、同期更新情報に従って更新する（Ｍ１２０７）。
【０１４１】
そして、携帯電話ＴAは、自己情報同期手段Ｔｃ３において、機器内の自己情報Ｔｇを、同期更新情報に従って更新する（Ｍ１２０８）。
【０１４２】
なお、上記の同期更新が行われるのは、情報通信サーバー内のみ、携帯電話機器のみ、あるいは両方、のいずれの場合もあり得る。
【０１４３】
第３実施形態における各装置の動作シーケンスの例３を図１６に基づいて以下に説明する。
【０１４４】
まず、ユーザーＡは、携帯電話ＴAの他者情報同期手段Ｔｄ３において、携帯電話機ＴA内の他者情報Ｔｇと情報通信サーバーＶの他者情報ＰAｃとの同期を要求する同期要求を情報通信サーバーＶに送る（Ｍ１３０１）。
【０１４５】
次に、要求を受けた情報通信サーバーＶは、ユーザー他者情報同期手段Ｖａ８において、要求元の他者情報状態情報送信要求（Ｍ１３０２）を携帯電話に送る。
【０１４６】
次に、要求を受けた携帯電話ＴAは、他者情報同期手段Ｔｄ３において、携帯電話機ＴA内にあるユーザーＡの他者情報Ｔｈから（Ｍ１３０３）他者情報状態情報（機器内）を作成し、情報通信サーバーＶへ送信する（Ｍ１３０４）。
【０１４７】
次に、機器ＴA内の他者情報状態情報を受け取った情報通信サーバーＶは、ユーザー他者情報同期手段Ｖａ８において、情報通信サーバーＶにあるユーザーＡ（ユーザー情報ＰA）の他者情報ＰAｃから（Ｍ１３０５）他者情報状態情報（サーバー）を作成する。
【０１４８】
次に、ユーザー他者情報同期手段Ｖａ８は、他者情報状態情報（機器内）と他者情報状態情報（サーバー）を比較して同期更新情報を生成する（Ｍ１３０６）。
【０１４９】
次に、情報通信サーバーＶは、ユーザー他者情報同期手段Ｖａ８において、他者情報の同期更新を要求する他者情報同期更新要求を携帯電話ＴAに送信する（Ｍ１３０７）。
【０１５０】
次に、要求を受け取った携帯電話ＴAは、他者情報同期手段Ｔｄ３において、同期更新情報に従って、機器内の他者情報Ｔｈを更新する（Ｍ１３０８）。
【０１５１】
そして、情報通信サーバーＶは、ユーザー他者情報同期手段Ｖａ８において、同期更新情報に従ってユーザーＡ（ユーザー情報ＰA）の他者情報ＰAｃを更新する（Ｍ１３０９）。
【０１５２】
なお、上記の同期更新が行われるのは、情報通信サーバー内のみ、携帯電話機器のみ、あるいは両方、のいずれの場合もあり得る。
【０１５３】
なお、上述のシーケンスは、図１４において、同期対象となる情報を自己情報から他者情報へと置き換えて動作させたシーケンスになる。
【０１５４】
第３実施形態における各装置の動作シーケンスの例４を図１７に基づいて以下に説明する。
【０１５５】
まず、ユーザーＡは、携帯電話ＴAの他者情報同期手段Ｔｄ３において、携帯電話機内の他者情報Ｔｈと情報通信サーバーＶの他者情報ＰAｃとの同期を行うために必要な他者情報状態情報を要求する他者情報状態情報取得要求を情報通信サーバーＶに送る（Ｍ１４０１）。
【０１５６】
次に、要求を受けた情報通信サーバーＶは、ユーザー他者情報同期手段Ｖａ８において、ユーザーＡ（ユーザー情報ＰA）の他者情報ＰAｃから他者情報状態情報（サーバー）を作成し、それを携帯電話へと送信する（Ｍ１４０３）。
【０１５７】
次に、サーバー内の他者情報状態情報を受け取った携帯電話ＴAは、他者情報同期手段Ｔｃ３において、携帯電話ＴA内の他者情報Ｔｈから（Ｍ１４０４）他者情報状態情報（機器内）を作成する。
【０１５８】
次に、他者情報同期手段Ｔｄ３は、他者情報状態情報（機器内）と他者情報状態情報（サーバー）を比較して同期更新情報を生成する（Ｍ１４０５）。
【０１５９】
次に、携帯電話ＴAは、他者情報同期手段Ｔｄ３において、他者情報の同期更新を要求する他者情報同期更新要求を情報通信サーバーＶに送信する（Ｍ１４０６）。
【０１６０】
次に、要求を受けた情報通信サーバーＶは、ユーザー他者情報同期手段Ｖａ８において、ユーザーＡ（ユーザー情報ＰA）の他者情報ＰAｃを、同期更新情報に従って更新する（Ｍ１４０７）。
【０１６１】
そして、携帯電話ＴAは、他者情報同期手段Ｔｄ３において、機器内の他者情報Ｔｈを、同期更新情報に従って更新する（Ｍ１４０８）。
【０１６２】
なお、上記の同期更新が行われるのは、情報通信サーバー内のみ、携帯電話機器のみ、あるいは両方、のいずれの場合もあり得る。
【０１６３】
なお、上述のシーケンスは、図１５において同期対象となる情報を自己情報から他者情報へと置き換えて動作させたシーケンスになる。
【０１６４】
また、上述した第３実施形態の各動作シーケンスにおいて、自己情報の同期に伴う更新を契機に更新通知（例えば、第１実施形態の動作シーケンス例３や、第４実施形態、第６実施形態に記載した、自己情報更新通知のシーケンスによる更新通知）を実施しても良い。
【０１６５】
［第４実施形態］
第４実施形態における情報共有システムのシステム構成を図１８に基づいて説明する。図１８のシステム構成は、図１３中のシステム構成におけるユーザー情報に、自己情報他者送信制御情報，自己情報更新通知送信制御情報，他者自己情報受信制御情報，他者自己情報更新通知受信制御情報のいずれか、もしくは、組み合わせて有する。
【０１６６】
例えば、図１８中の自己情報他者送信制御情報ＰAｄは、自己情報ＰAｂの一部であって、他のユーザーに対して自己情報を送信するか否かを示す情報である。
【０１６７】
自己情報更新通知送信制御情報ＰAｅは、自己情報ＰAｂの一部であって、自己情報に関する更新通知を送信するか否かを示す情報である。
【０１６８】
他者自己情報受信制御情報ＰAｆは、他者情報ＰAｃの一部であって、他のユーザーから送信される自己情報を受信するか否かを示す情報である。
【０１６９】
他者自己情報更新通知受信制御情報ＰAｇ、他者情報ＰAｃの一部であって、他のユーザーから送信される自己情報に関する更新通知を受信するか否かを示す情報である。
【０１７０】
第４実施形態における各装置の動作シーケンスの例１を図１９に基づいて以下に説明する。
【０１７１】
まず、ユーザーＡは、携帯電話ＴAの自己情報更新手段Ｔｃ２を用いて、自己情報他者送信制御情報の設定を要求する他者自己情報送信制御要求を情報通信サーバーＶに送る（Ｍ１５０１）。なお、自己情報他者送信制御情報は、例えば、{自己情報名、ユーザー識別子、可否}の集合で構成されるものとする。図１９中では、{{氏名{ユーザーＢのユーザー識別子、ＯＫ}、{ユーザーＣのユーザー識別子、ＯＫ}．．．}、、．．．、{モブログ記事{モブログ記事１{ユーザーＢのユーザー識別子、ＮＧ}、．．．}、．．．、{モブログ記事ｎ{ユーザーＢのユーザー識別子、ＯＫ}、．．．}}、．．．}と記述されているものとする。
【０１７２】
次に、要求を受けた情報通信サーバーＶは、ユーザー自己情報更新手段Ｖａ２において、ユーザーＡ（ユーザー情報ＰA）の自己情報ＰAｂに自己情報他者送信制御情報ＰAｄを設定する（Ｍ１５０２）。
【０１７３】
次に、ユーザーＢは、携帯電話ＴBの他者自己情報取得手段Ｔｅにおいて、表示名「ユーザーＡ」で表されるユーザーＡ（ユーザー情報ＰA）の自己情報ＰAｂのうち{氏名、モブログ記事１、モブログ記事ｎ}の取得を要求する他者自己情報取得要求を情報通信サーバーＶに送る（Ｍ１５０３）。
【０１７４】
次に、要求を受けた情報通信サーバーＶは、選択的他者自己情報送信手段Ｖａ５において、要求先のユーザーＡ（ユーザー情報ＰA）の自己情報ＰAｂから自己情報他者送信制御情報ＰAｄを取り出し（Ｍ１５０４）、そこに要求元であるユーザーＢへの送信が許可されているかどうかを判別する（Ｍ１５０５）。
【０１７５】
そして、要求された情報のうち、許可されている{氏名、モブログ記事ｎ}をユーザーＡの自己情報ＰAｂから取り出し（Ｍ１５０６）、これを要求元であるユーザーＢの携帯電話ＴBに送信する（Ｍ１５０７）。
【０１７６】
第４実施形態における各装置の動作シーケンスの例２を図２０に基づいて以下に説明する。
【０１７７】
まず、ユーザーＡは、携帯電話ＴAの自己情報更新手段Ｔｃ２を用いて、自己情報他者送信制御情報の設定を要求する他者自己情報送信制御要求を情報通信サーバーＶに送る（Ｍ１６０１）。
【０１７８】
次に、要求を受けた情報通信サーバーＶは、ユーザー自己情報更新手段Ｖａ２において、ユーザーＡ（ユーザー情報ＰA）の自己情報ＰAｂに自己情報他者送信制御情報ＰAｄを設定する（Ｍ１６０２）。
【０１７９】
次に、ユーザーＢは、携帯電話ＴBの他者自己情報取得手段Ｔｅにおいて、表示名「ユーザーＡ」で表されるユーザーＡの自己情報のうち{氏名、モブログ記事１、モブログ記事ｎ}の取得を要求する他者自己情報取得要求を情報通信サーバーＶに送る（Ｍ１６０３）。
【０１８０】
次に、要求を受けた情報通信サーバーＶは、選択的他者自己情報送信手段Ｖａ５において、以下の処理を行う。
（１）要求先のユーザー{Ａ}の自己情報ＰAｂから自己情報他者送信制御情報ＰAｄを取り出し（Ｍ１６０４）、そこで要求元であるユーザー{Ｂ}への送信が許可されているかどうかを判別し（Ｍ１６０５）、要求された情報のうち、送信が許可されている情報のみをユーザーＡの自己情報ＰAｂから取り出す。
（２）要求先のユーザー{Ａ}の他者情報ＰAｃを取得し（Ｍ１６０６）、その他者情報ＰAｃに要求元のユーザー{Ｂ}が含まれているか否か（Ｍ１６０７）。
【０１８１】
結果として、（１）、（２）の判別結果がＯＫだった場合のみ、ＯＫであった情報を要求元のユーザーＢの携帯電話に送信する（Ｍ１６０９）。なお、（１）、（２）の処理は、どちらが先に行われてもよい。
【０１８２】
第４実施形態における各装置の動作シーケンスの例３を図２１に基づいて以下に説明する。
【０１８３】
まずユーザーＡは、携帯電話ＴAの他者情報更新手段Ｔｄ２を用いて、他者自己情報受信制御情報の設定を要求する他者自己情報受信制御要求を情報通信サーバーＶに送る（Ｍ１７０２）。なお、他者自己情報受信制御情報は、{自己情報名、ユーザー識別子、可否}の集合で構成されるものとする。この例では、例えば、{{氏名{ユーザーＢのユーザー識別子、ＯＫ}、．．．}、．．．、{モブログ記事{ユーザーＢのユーザー識別子、ＮＧ}、．．．}、．．．}と記述されているものとする。
【０１８４】
次に、要求を受けた情報通信サーバーＶは、ユーザー他者情報更新手段Ｖａ３において、ユーザーＡ（ユーザー情報ＰA）の他者情報に他者自己情報受信制御情報ＰAｆを設定する（Ｍ１７０２）。
【０１８５】
次に、ユーザーＡは、携帯電話ＴAの他者自己情報取得手段Ｔｅにおいて、表示名「ユーザーＢ」に対応するユーザー（ユーザーＢ）の自己情報の全ての取得を要求する他者自己情報取得要求を情報通信サーバーＶに送る（Ｍ１７０３）。
【０１８６】
次に、要求を受けた情報通信サーバーＶは、選択的他者自己情報送信手段Ｖａ５において、まずユーザーＡ（ユーザー情報ＰA）の他者情報ＰAｃから他者自己情報受信制御情報ＰAｆを取り出し（Ｍ１７０４）、ユーザーＢの自己情報のうちどの情報の受信を行うかを判別する（Ｍ１７０５）。
【０１８７】
次に、要求されたユーザーＢの他者情報ＰBｃを取得し（Ｍ１７０６）、対象ユーザーＢの他者情報にユーザーＡが含まれているか否かを判別する（Ｍ１７０７）。
【０１８８】
そして、ユーザーＡが含まれていた場合、ユーザーＢの自己情報ＰBｂを取得し（Ｍ１７０８）、携帯電話ＴAに送信する（Ｍ１７０９）。
【０１８９】
また、動作シーケンス例１あるいは動作シーケンス例２で示した自己情報他者送信制御に基づく自己情報の他者への送信制御と、動作シーケンス例３で示した他者自己情報受信制御情報に基づく他者の自己情報の受信制御とを組み合わせて、送信者が自己情報他者送信制御情報で送信を許可していて、かつ受信者が他者自己情報受信制御情報で受信を許可している場合にのみ、他者自己情報の送受が行われるようにすることも可能である。
【０１９０】
第４実施形態における各装置の動作シーケンスの例４を図２２に基づいて以下に説明する。
【０１９１】
まず、ユーザーＡは、携帯電話ＴAの自己情報更新手段Ｔｃ２を用いて、自己情報更新通知送信制御情報の設定を要求する自己情報更新通知送信制御要求を情報通信サーバーＶに送る（Ｍ１８０１）。なお、自己情報更新通知送信制御情報は、例えば、{対象となる情報と、更新通知の送信を許可する要求先ユーザーのユーザー識別子、可否}の集合として構成されるものとする。この例では、例えば、{{氏名{ユーザーＢのユーザー識別子、ＯＫ}、．．．}、．．．、{モブログ記事{ユーザーＢのユーザー識別子、ＮＧ}、．．．}、．．．}と記述されるものとする。
【０１９２】
次に、要求を受けた情報通信サーバーＶは、ユーザー自己情報更新手段Ｖａ２において、ユーザーＡの自己情報ＰAｂに自己情報更新通知送信制御情報ＰAｅを設定する（Ｍ１８０２）。
【０１９３】
次に、ユーザーＡは、携帯電話ＴAの自己情報更新手段Ｔｃ２を用いて、自己情報の更新を要求する自己情報更新要求を情報通信サーバーＶに送る（Ｍ１８０３）。
【０１９４】
次に、要求を受けた情報通信サーバーＶは、まず、ユーザー自己情報更新手段Ｖａ２において、ユーザーＡの自己情報ＰAｂを更新情報を用いて更新する（Ｍ１８０４）。
【０１９５】
次に、情報通信サーバーＶは、選択的自己情報更新通知送信手段Ｖａ６１において、更新対象となったユーザーＡの自己情報内の自己情報更新通知送信制御情報ＰAｅを取り出し（Ｍ１８０５）、送信が許可されているユーザーのユーザー識別子群を送信先候補として取り出し、選択的他者自己情報更新通知送信手段Ｖａ６２に渡す。
【０１９６】
以降のシーケンス（メッセージＭ１８０７〜Ｍ１８０９）は、図３と同様のシーケンス（メッセージＭ０２０４〜Ｍ０２０６）が行われるため、説明を省略する。
【０１９７】
第４実施形態における各装置の動作シーケンスの例５を図２３に基づいて以下に説明する。
【０１９８】
情報通信サーバーＶの選択的自己情報更新通知送信要求手段Ｖａ６１において、ユーザーＡの他者情報からの送信先候補の取り出し（Ｍ１９０６）、ユーザーＡの自己情報更新通知送信制御情報による送信先候補の取り出し（Ｍ１９０５）、前記取り出した各結果の積集合を送信先候補として取り出す（Ｍ１９０８）、という流れで送信先候補が作成される以外は、図２２と同様のシーケンスである。なお、メッセージＭ１９０５，メッセージＭ１９０６に関する処理順序は、どちらが先であってもよい。
【０１９９】
第４実施形態における各装置の動作シーケンスの例６を図２４に基づいて以下に説明する。
【０２００】
図２４のシーケンス（メッセージＭ２００１〜Ｍ２００７）は、図２２のシーケンス図中で、更新情報を送信する際に、自己情報更新通知制御情報も同時に送信する（Ｍ２００１）に変更したシーケンスである。
【０２０１】
第４実施形態における各装置の動作シーケンスの例７を図２５に基づいて以下に説明する。
【０２０２】
図２５のシーケンス（メッセージＭ２１０１〜Ｍ２１０９）は、図２３のシーケンス図中で、更新情報を送信する際に、自己情報更新通知制御情報も同時に送信する（Ｍ２１０１）に変更したシーケンスである。
【０２０３】
第４実施形態における各装置の動作シーケンスの例８を図２６に基づいて以下に説明する。
【０２０４】
まず、ユーザーＢは、携帯電話ＴBの他者情報更新手段Ｔｄ２を用いて、他者自己情報更新通知受信制御情報の設定を要求する他者自己情報更新通知受信制御要求を情報通信サーバーＶに送る（Ｍ２２０１）。なお、他者自己情報更新通知受信制御情報は、例えば、{対象となる情報、更新通知の受信を許可する要求元ユーザーのユーザー識別子、可否}の集合として構成されるものとする。
【０２０５】
次に、要求を受けた情報通信サーバーＶは、ユーザー他者情報更新手段Ｖａ３において、ユーザーＢ（ユーザー情報ＰB）の他者情報ＰBｃに他者自己情報更新通知受信制御情報ＰBｇを設定する（Ｍ２２０２）。
【０２０６】
次に、ユーザーＡが、携帯電話ＴAの自己情報更新手段Ｔｃ２を用いて、自己情報の更新を要求する自己情報更新要求を情報通信サーバーＶに送る（Ｍ２２０３）。
【０２０７】
次に、要求を受けた情報通信サーバーＶは、まず、ユーザー自己情報更新手段Ｖａ２において、ユーザーＡ（ユーザー情報ＰA）の自己情報ＰAｂを更新情報を用いて更新する（Ｍ２２０４）。
【０２０８】
次に、情報通信サーバーＶは、選択的自己情報更新通知送信手段Ｖａ６１において、更新情報の送信先候補を取り出す（Ｍ２２０５）。送信先候補の選択方法は、図３、図２２〜図２５中の何れの方法であってもよい。
【０２０９】
次に、情報通信サーバーＶは、選択的他者自己情報更新通知送信手段Ｖａ６２において、送信先候補に含まれるユーザー{Ｂ、Ｃ、Ｄ、．．．}の他者情報から他者自己情報更新通知受信制御情報ＰAｇを取り出し、要求元ユーザーＡへの送信が許可されているかどうかを判別する（Ｍ２２０７）。許可されている場合は、そのユーザーを送信先として情報更新通知を送信する（Ｍ２２０８）。
【０２１０】
そして、以降のシーケンスは、図３のシーケンスと同様の処理が行われるため、説明を省略する。
【０２１１】
第４実施形態における各装置の動作シーケンスの例９を図２７に基づいて以下に説明する。
【０２１２】
図２７中のシーケンスは、情報通信サーバーＶの選択的他者自己情報更新通知手段Ｖａ６２において、送信先候補に含まれるユーザーの他者情報を取り出して送信元ユーザーが含まれているか否かを判別する処理（Ｍ２３０６，Ｍ２３０７）、送信先候補に含まれるユーザーの他者情報から他者情報更新通知受信制御情報ＰAｇを取り出して送信元ユーザーからの受信が許可されているか否かを判別する処理（Ｍ２３０８，Ｍ２３０９）、の両方で許可されている場合のみそのユーザーの携帯電話に更新通知を送信する（Ｍ２３１０）、という流れで処理が行われる以外、図２６中のシーケンスと同じシーケンスである。なお、Ｍ２３０７、Ｍ２３０９の処理順序は、どちらが先であってもよい。
【０２１３】
また、動作シーケンス例４乃至動作シーケンス例７で示した自己情報更新通知送信制御情報に基づく自己情報の他者への送信制御と、動作シーケンス例８あるいは動作シーケンス例９で示した他者自己情報更新通知受信制御情報に基づく他者の自己情報の更新通知の受信制御とを組み合わせて、送信者が自己情報更新通知送信制御情報で送信を許可していて、かつ受信者が他者自己情報更新通知受信制御情報で受信を許可している場合にのみ、他者自己更新通知の送受が行われるようにすることも可能である。
【０２１４】
［第５実施形態］
第５実施形態における情報共有システムのシステム構成を図２８に基づいて説明する。図２８のシステム構成は、図１８中のシステム構成における情報通信機器もしくは情報通信サーバー内に、自己情報同期制御情報，他者情報同期制御情報のいずれか、もしくは、組み合わせて有する。
【０２１５】
例えば、図１８中の自己情報同期制御情報ＰAｈは、自己情報ＰAｂの一部であって、情報通信サーバーＶが主体的に自己情報ＰAｂに関する同期処理を行うための制御情報である。
【０２１６】
他者情報同期制御情報ＰAｉは、他者情報ＰAｃの一部であって、情報通信サーバーＶが主体的に自己情報ＰAｃに関する同期処理を行うための制御情報である。
【０２１７】
自己情報同期制御情報Ｔｇ１は、自己情報Ｔｇの一部であって、情報通信機器が主体的に自己情報Ｔｇに関する同期処理を行うための制御情報である。
【０２１８】
他者情報同期制御情報Ｔｈ１は、他者情報Ｔｈの一部であって、情報通信機器が主体的に他者情報Ｔｈに関する同期処理を行うための制御情報である。
【０２１９】
第５実施形態における各装置の動作シーケンスの例１を図２９に基づいて以下に説明する。
【０２２０】
まず、ユーザーＡは、携帯電話ＴAの自己情報同期手段Ｔｃ３において、携帯電話機内の自己情報と情報通信サーバーの自己情報との同期を取る際の同期対象情報を指定する同期制御情報の設定を要求する同期制御情報設定要求を情報通信サーバーＶに送信する（Ｍ２４０１）。
【０２２１】
次に、要求を受けた情報通信サーバーＶは、ユーザー自己情報同期手段Ｖａ７において、ユーザーＡの自己情報ＰAｂに自己情報同期制御情報ＰAｈを設定する（Ｍ２４０２）。
【０２２２】
次に、ユーザーＡは、携帯電話ＴAの自己情報同期手段Ｔｃ３において、携帯電話機内の自己情報と情報通信サーバーの自己情報との同期を要求する同期要求を情報通信サーバーに送る（Ｍ２４０３）。
【０２２３】
次に、要求を受けた情報通信サーバーＶは、ユーザー自己情報同期手段Ｖａ７において、ユーザーＡの自己情報ＰAｂから自己情報同期制御情報ＰAｈを取り出し（Ｍ２４０４）、該自己情報同期制御情報ＰAｈに基づいて同期対象の自己情報を特定する（Ｍ２４０５）。そして該同期対象の自己情報について、自己情報状態情報を要求する自己情報状態情報送信要求を携帯電話ＴAに送信する（Ｍ２４０６）とともに、サーバー内にあるユーザーＡの自己情報から自己情報状態情報（サーバー内）を作成する（Ｍ２４０９）。
【０２２４】
次に、要求を受けた携帯電話ＴAは、自己情報同期手段Ｔｃ３において、要求された同期対象の自己情報について、自己情報状態情報（機器内）を作成し（Ｍ２４０７）、それを情報通信サーバーへ送信する（Ｍ２４０８）。
【０２２５】
そして、以降のシーケンスは、図１４のシーケンス（メッセージＭ１１０６〜Ｍ１１０９）と同様の処理が行われるため、説明を省略する。
【０２２６】
第５実施形態における各装置の動作シーケンスの例２を図３０に基づいて以下に説明する。
【０２２７】
まず、ユーザーＡは、携帯電話ＴAの自己情報同期手段Ｔｃ３において、携帯電話機内の自己情報と情報通信サーバーの自己情報との同期を取る際の同期対象情報を指定する自己情報同期制御情報Ｔｇ１を、機器内の自己情報Ｔｇに設定する（Ｍ２５０１）。
【０２２８】
次に、ユーザーＡは、携帯電話ＴAの自己情報同期手段Ｔｃ３において、自己情報Ｔｇから自己情報同期制御情報Ｔｇ１を取り出し（Ｍ２５０２）、その同期制御情報に基づいて同期対象の自己情報を特定する（Ｍ２５０３）。
【０２２９】
次に、前記同期対象の自己情報について、自己情報状態情報を要求する自己情報状態情報取得要求を情報通信サーバーＶに送信する（Ｍ２５０４）とともに、機器内にある自己情報から自己情報状態情報（機器内）を作成する（Ｍ２５０７）。
【０２３０】
次に、要求を受けた情報通信サーバーＶは、ユーザー自己情報同期手段Ｖａ７において、要求された同期対象の自己情報について、ユーザーＡの自己情報ＰAｂから自己情報状態情報（サーバー）を作成し（Ｍ２５０５）、それを携帯電話へと送信する（Ｍ２５０６）。
【０２３１】
そして、以降のシーケンスは、図１５のシーケンス（メッセージＭ１３０６〜Ｍ１３０９）と同様の処理が行われるため、説明を省略する。
【０２３２】
第５実施形態における各装置の動作シーケンスの例３を図３１に基づいて以下に説明する。
【０２３３】
まず、ユーザーＡは、携帯電話ＴAの他者情報同期手段Ｔｄ３において、携帯電話機内の他者情報と情報通信サーバーの他者情報との同期を取る際の同期対象情報を指定する同期制御情報の設定を要求する同期制御情報設定要求を情報通信サーバーＶに送信する（Ｍ２６０１）。
【０２３４】
次に、要求を受けた情報通信サーバーＶは、ユーザー他者情報同期手段Ｖａ８において、ユーザーＡの他者情報ＰAｃに他者情報同期制御情報ＰAｉを設定する（Ｍ２６０２）。
【０２３５】
次に、ユーザーＡは、携帯電話ＴAの他者情報同期手段Ｔｄ３において、携帯電話機内の他者情報と情報通信サーバーの他者情報との同期を要求する同期要求を情報通信サーバーに送る（Ｍ２６０３）。
【０２３６】
次に、要求を受けた情報通信サーバーＶは、ユーザー他者情報同期手段Ｖａ８において、ユーザーＡの他者情報ＰAｃから他者情報同期制御情報ＰAｉを取り出し（Ｍ２６０４）、該他者情報同期制御情報ＰAｉに基づいて同期対象の他者情報を特定する（Ｍ２６０５）。そして該同期対象の他者情報について、他者情報状態情報を要求する他者情報状態情報送信要求を携帯電話ＴAに送信する（Ｍ２６０６）とともに、サーバー内にあるユーザーＡの他者情報から他者情報状態情報（サーバー内）を作成する（Ｍ２６０９）。
【０２３７】
次に、要求を受けた携帯電話ＴAは、他者情報同期手段Ｔｄ３において、要求された同期対象の他者情報について、他者情報状態情報（機器内）を作成し（Ｍ２６０７）、それを情報通信サーバーへ送信する（Ｍ２６０８）。
【０２３８】
そして、以降のシーケンスは、図１６のシーケンス（メッセージＭ１３０６〜Ｍ１３０９）と同様の処理が行われるため、説明を省略する。
【０２３９】
なお、図３１のシーケンスは、図２９のシーケンスにおいて同期対象となる情報を自己情報から他者情報へと置き換えたシーケンスである。
【０２４０】
第５実施形態における各装置の動作シーケンスの例４を図３２に基づいて以下に説明する。
【０２４１】
まず、ユーザーＡは、携帯電話ＴAの他者情報同期手段Ｔｄ３において、携帯電話機内の他者情報と情報通信サーバーの他者情報との同期を取る際の同期対象情報を指定する他者情報同期制御情報Ｔｈ１を、機器内の他者情報Ｔｈに設定する（Ｍ２７０１）。
【０２４２】
次に、ユーザーＡは、携帯電話ＴAの他者情報同期手段Ｔｄ３において、他者情報から他者情報同期制御情報Ｔｈ１を取り出し（Ｍ２７０２）、その同期制御情報に基づいて同期対象の他者情報を特定する（Ｍ２７０３）。
【０２４３】
次に、前記同期対象の他者情報について、他者情報状態情報を要求する他者情報状態情報取得要求を情報通信サーバーＶに送信する（Ｍ２７０４）とともに、機器内にある他者情報から他者情報状態情報（機器内）を作成する（Ｍ２７０７）。
【０２４４】
次に、要求を受けた情報通信サーバーＶは、ユーザー他者情報同期手段Ｖａ８において、要求された同期対象の他者情報について、ユーザーＡの他者情報ＰAｃから他者情報状態情報（サーバー）を作成し（Ｍ２７０５）、それを携帯電話へと送信する（Ｍ２７０６）。
【０２４５】
そして、以降のシーケンスは、図１７のシーケンス（メッセージＭ１４０５〜Ｍ１４０８）と同様の処理が行われるため、説明を省略する。
【０２４６】
なお、図３２のシーケンスは、図３０のシーケンスにおいて、同期対象となる情報を自己情報から他者情報へと置き換えたシーケンスである。
【０２４７】
［第６実施形態］
第６実施形態における情報共有システムのシステム構成を図３３に基づいて説明する。図３３のシステム構成は、図２８中のシステム構成における情報通信サーバー内に、他者グループ設定情報を有する。
【０２４８】
他者グループ設定情報ＰAｌは、他者情報ＰAｃの一部であって、１または複数の他者を一つのグループとして扱う情報である。例えば、他者グループ設定情報ＰAｌは、グループ識別子，グループ表示名，ユーザー識別子から構成されるグループメンバを有する。
【０２４９】
図３４中の他者グループ設定情報Ｐｌ（例えば、図３３中の他者グループ設定情報ＰAｌ）を作成し、図１９〜図２７のシーケンスにおいて、操作者のところにユーザー識別子の他にグループ識別子を設定することも可能にする。
【０２５０】
グループに対する設定の処理を行う場合は、その設定はグループのメンバーである各ユーザーに対する設定として分解（解釈）され、後はユーザーに対する設定と同様に処理が行われる。
【０２５１】
グループに対する設定とユーザーに対する設定が衝突した場合は、次のいずれかによって衝突を解消する。
（ａ）ユーザーへの設定を優先する。
（ｂ）グループへの設定を優先する。
（ｃ）ユーザーの指示を受ける。
【０２５２】
以上のようなグループによるアクセス制御は、既知の一般的手法であるため、第６実施形態における情報共有システムの実現では前記一般的な手法を用いればよい。
【０２５３】
なお、第１乃至第６実施形態おける装置及びシステムにおける各手段の一部もしくは全部の機能をコンピュータのプログラムで構成し、そのプログラムをコンピュータを用いて実行して本発明を実現することができること、第１乃至第６実施形態における方法における手順をコンピュータのプログラムで構成し、そのプログラムをコンピュータに実行させることができることは言うまでもない。
【０２５４】
以上のように、第１乃至第６実施形態は、ネットワーク上において、情報通信機器もしくは情報通信サーバーの他者情報，自己情報（ｍｏｂｌｏｇ情報）などを管理し、その情報の公開制御を行なうサービスを実現するものである。
【０２５５】
第１乃至第６実施形態において、利用者は、ネットワーク上の情報通信サーバーに、他者情報，自己情報（ｍｏｂｌｏｇ情報）を蓄積する。情報通信サーバーは、他者情報などに基づいて、特定の利用者に対し、特定の範囲の情報を公開する。
【０２５６】
利用者は、サービスに加入する手続きだけで、自己情報（ｍｏｂｌｏｇ情報）などをサーバで管理できる。
【０２５７】
また、第６実施形態は、利用者による自己情報の更新（例えば、ｍｏｂｌｏｇの更新）が行なわれた場合、公開を許可された利用者で、かつ、情報の受信を許可した利用者に対して、情報の更新が行なわれたことを、画面表示，着信音，振動などの通知手段によって通知する。その通知手段は、その更新情報を代表する文字や画像，音，振動などで構成される。この通知によって、受信者に対する情報の選択の自由度が高められる。
【０２５８】
特に、第６実施形態では、他者情報のグループ分けに従った制御情報による公開先の情報開示（情報送信）の仕組みを利用することによって、情報の送信者側の制御権能を高めることができ、情報公開先の選択の自由度を飛躍的に大きくする。
【０２５９】
以上のように、第１乃至第６実施形態によれば、情報通信機器を有する個人が、その機器に付属のカメラや文字入力ツールを用いて作成した情報の公開先を、その情報通信機器の使い慣れた通信相手登録情報（自己情報，他者情報）に基づいて制限することによって、個人がより自由度の高い公開制御を簡単に行なう事ができるというメリットを有する。
【０２６０】
また、コミュニケーションツールとしての観点からは、返信を陽に期待しないコミュニケーションを誘発するメリットをもつ。例えば、電話というツールは応答の即時性が高いために、発信側は受信側の状態によってはコミュニケーションが成り立たないという不安を持つ。
【０２６１】
また、電子メイルというツールは電話に比べて応答の即時性は低いものの、例えば、連絡等が疎遠になってしまった相手が通信相手である場合では、発信者側は受信者側に何らかのリアクションを求めてしまう、という不安を持つ可能性がある。それに対し、本実施形態によれば、疎遠になった通信相手に対しても、通信相手登録情報のある分類への同報通信による情報発信がベースであることと、ｍｏｂｌｏｇ の形態をとった情報発信であることによって、発信者側は受信者側に何らかのリアクションを求める意思を含めない情報を発信できる。
【０２６２】
さらに、カメラや文字入力ツールを用いて作成した情報をサーバ側に蓄積する事によって、例えば、自動的に時系列に写真とメッセージが並べられたライフログのようなものが生成されるメリットがあるとともに、例えば他人の蓄積した情報をマシン能力の高いサーバ側で検索や照合することも可能となり、情報通信機器の情報収集能力と合わせて、ライフログをコンテンツとしたデータベースサービスの可能性も秘めているといえる。
【０２６３】
以上のように、第１乃至第６実施形態は、送信者が公開した情報が必ずしも受信者に届くわけではないため、送信者にとっても受信者にとっても返信にはそれほど高い期待をもたないことが合理的となるコミュニケーション手段として利用できる。
【０２６４】
以上、本発明の実施形態について説明したが、本発明は説明した実施形態に限定されるものでなく、各請求項に記載した範囲において各種の変形を行うことが可能である。
【０２６５】
例えば、第１乃至第６実施形態においては、携帯電話端末及びｍｏｂｌｏｇを用いていたが、一般的な端末及びＢｌｏｇでも良い。
【符号の説明】
【０２６６】
Ａ，Ｂ…ユーザー
ＴA，ＴB…情報通信機器（携帯電話）
５００…通信ネットワーク
ＰA，ＰA…ユーザー情報
ＰAａ，ＰBａ…ユーザー識別情報
ＰAｂ，ＰBｂ…自己情報
ＰAｃ，ＰBｃ…他者情報
ＰAｄ，Ｐｄ…自己情報他者送信制御情報
ＰAｅ，Ｐｅ…自己情報更新通知送信制御情報
ＰAｆ，Ｐｆ…他者自己情報受信制御情報
ＰAｇ，Ｐｇ…他者自己情報更新通知受信制御情報
ＰAｈ…自己情報同期制御情報
ＰAｉ…他者情報同期制御情報
ＰAｌ，Ｐｌ…他者グループ設定情報
Ｖ…情報通信サーバー
Ｖａ…個人的情報管理サービス手段
Ｖａ１…ユーザー自己情報送信手段
Ｖａ２…ユーザー自己情報更新手段
Ｖａ３…ユーザー他者情報更新手段
Ｖａ４…ユーザー他者情報送信手段
Ｖａ５…選択的他者自己情報送信手段
Ｖａ６…情報更新通知配信手段
Ｖａ６１…選択的自己情報更新通知送信要求手段
Ｖａ６２…選択的他者自己情報更新通知送信手段
Ｖａ７…ユーザー自己情報同期手段
Ｖａ８…ユーザー他者情報同期手段
Ｖｂ…ユーザー認証手段
Ｖｃ…ユーザー認証情報
Ｖｄ…総合電話帳
Ｔａ…ユーザーインタフェース
Ｔｂ…ユーザー被認証手段
Ｔｃ…自己情報管理手段
Ｔｃ１…自己情報取得手段
Ｔｃ２…自己情報更新手段
Ｔｃ３…自己情報同期手段
Ｔｄ…他者情報管理手段
Ｔｄ１…他者情報取得手段
Ｔｄ２…他者情報更新手段
Ｔｄ３…他者情報同期手段
Ｔｅ…他者自己情報取得手段
Ｔｆ…他者自己情報更新通知処理手段
Ｔｇ…自己情報
Ｔｇ１…自己情報同期制御情報
Ｔｈ…他者情報
Ｔｈ１…他者情報同期制御情報
ＮA…ユーザー被認証情報
【図１】
2011101403.tif 000003
【図２】
2011101403.tif 000004
【図３】
2011101403.tif 000005
【図４】
2011101403.tif 000006
【図５】
2011101403.tif 000007
【図６】
2011101403.tif 000008
【図７】
2011101403.tif 000009
【図８】
2011101403.tif 000010
【図９】
2011101403.tif 000011
【図１０】
2011101403.tif 000012
【図１１】
2011101403.tif 000013
【図１２】
2011101403.tif 000014
【図１３】
2011101403.tif 000015
【図１４】
2011101403.tif 000016
【図１５】
2011101403.tif 000017
【図１６】
2011101403.tif 000018
【図１７】
2011101403.tif 000019
【図１８】
2011101403.tif 000020
【図１９】
2011101403.tif 000021
【図２０】
2011101403.tif 000022
【図２１】
2011101403.tif 000023
【図２２】
2011101403.tif 000024
【図２３】
2011101403.tif 000025
【図２４】
2011101403.tif 000026
【図２５】
2011101403.tif 000027
【図２６】
2011101403.tif 000028
【図２７】
2011101403.tif 000029
【図２８】
2011101403.tif 000030
【図２９】
2011101403.tif 000031
【図３０】
2011101403.tif 000032
【図３１】
2011101403.tif 000033
【図３２】
2011101403.tif 000034
【図３３】
2011101403.tif 000035
【図３４】
2011101403.tif 000036